(57)【特許請求の範囲】
【請求項１】
呼吸ガスサンプリングおよび／または送達管システムで使用するためのルアーコネクタであって、
一次ルアーオスコネクタと、
先細円錐の形を有し、前記一次ルアーオスコネクタを少なくとも部分的に受け入れる一次ルアーメスコネクタとを備え、
前記一次ルアーメスコネクタは、その外側表面に形成された少なくとも一つのねじ山と、当該一次ルアーメスコネクタの空隙の中に形成された二次オス部とを有し、
前記二次オス部の先端は、前記一次ルアーメスコネクタの前記空隙の中に位置し、前記空隙は、前記一次ルアーメスコネクタの内面形状で定義され、
前記ルアーコネクタはさらに、前記二次オス部および前記一次ルアーメスコネクタの長さに沿って伸長する内側流体通路を備え、
前記二次オス部は、前記一次ルアーメスコネクタと前記一次ルアーオスコネクタとが前記少なくとも一つのねじ山によって少なくとも部分的に結合されるときに、前記一次ルアーオスコネクタに少なくとも部分的に挿入されるよう構成された、ルアーコネクタ。
【請求項２】
前記内側流体通路は、前記二次オス部と前記一次ルアーメスコネクタとの全体にわたって一定の内径を有する、請求項１に記載のルアーコネクタ。
【請求項３】
前記二次オス部の長さが、一次ルアーオスコネクタおよび一次ルアーメスコネクタが結合されるときに、一次ルアーオスコネクタの上部末端部分と一次ルアーメスコネクタの最深点との間に形成される最大距離よりも大きい、請求項１に記載のルアーコネクタ。
【請求項４】
前記二次オス部が、公差のための許容誤差を可能にするために１つまたは複数の側面の切れ目を備える、請求項１に記載のルアーコネクタ。
【請求項５】
前記二次オス部が、その上部に密封先端を備える、請求項１に記載のルアーコネクタ。
【発明の詳細な説明】
【技術分野】
【０００１】
本発明の実施形態は、本来、かく乱されないガス流を提供し、考えられる設備を用いて、本来かく乱されないガス流およびごくわずかな漏れを可能にする条件の達成時にガス分析装置の活性化を可能にするように構成されたルアーコネクタに関する。
【背景技術】
【０００２】
ルアーテーパーは、皮下注射器の先端および針、または栓および針を含む医療機器および実験室用機器で、オステーパーフィッティングとその嵌合いメス部品との間で漏れのない接続を行うために使用される小型の流体取付部品の標準化されたシステムである。ルアーテーパーは１９世紀のドイツの医療機器メーカーHermann Wulfing Luerにちなんで名付けられ、ガラス瓶栓用の６％テーパーフィッティングとして考案された。ルアーテーパーコネクタの重要な特長は、ＩＳＯ  ５９４規格に定められている。また、ルアーテーパーは、ＤＩＮおよびＥＮ規格１７０７：１９９６および２０５９４−１９９３でも定められている。
【発明の概要】
【発明が解決しようとする課題】
【０００３】
ルアーテーパー接続には２つの種類がある。つまり、ルアーロックおよびルアースリップである。ルアーロックフィッティングは、オス取付部品のスリーブ内のねじ山の中にねじ込むメス取付部品のタブ付きのハブによってしっかりと接合される。ルアースリップフィッティングは単にルアーテーパーの寸法に一致し、ともに押され、摩擦によって保持される（ルアースリップフィッティングはねじ山を有していない）。ルアー構成部品は、金属またはプラスチックのどちらかから製造され、世界中の多くの企業から入手できる。
【０００４】
上述したように、ルアーコネクタは、ＩＳＯ  ５９４規格に定められている。この規格は、多くの規格のように、国内の標準化団体（ＩＳＯ加盟団体）の世界的な連合である国際標準化機構（ＩＳＯ）によって作成されている。
【０００５】
１９９０年代、連合内では、ルアーコネクタが取り付けられた医療機器の激増、および腸内溶液、くも膜下投薬または圧縮ガスの不適切な送達を生じさせた誤接続に起因した患者の死亡またはケガの報告に関して懸念が大きくなった。結腸栄養チューブならびにガス採取システムおよびガス供給システムとのルアーコネクタの使用に関する懸念が、欧州標準化委員会（ＣＥＮ／ＢＴ）および欧州委員会で提起された。１９９７年１１月、新規に作成されたＣＨｅＦ運営委員会が、問題を検討するためにフォーラムタスクグループ（ＦＴＧ）を設立した。ＦＴＧはＣＥＮ報告書ＣＲ  １３８２５を作成し、この報告書は多くの相容れない用途に対して単一のコネクタ設計を使用することに起因した問題があると結論付けた。冠状疾患集中治療室では、単一の患者に使用される医療機器に４０ものコネクタがある。したがって、誤接続がなされても驚きではない。医療機器は長年に亘って「単一故障状態での安全性」という確立された原則に従ってきた。簡単に言うと、単一故障は受け入れがたいリスクを生じさせてはならないという意味である。この原則は、多数の医療機器規格の要件で具体化されている。この原則をルアーコネクタの用途に拡大する、つまり誤接続が患者にとって受け入れがたいリスクを生じさせてはならないということに拡大し、ＦＴＧは、ルアーコネクタが脈管系または皮下注射器に接続されることを目的とした医療機器に制限されるべきであると推奨した。さらに、小口径のコネクタの新しい設計が他の用途に開発されるべきであり、これらはルアーコネクタと、および互いと相互に接続不可であるべきである。
【０００６】
この明確になったニーズを受けて、過去数年の間に、医療環境で流体と使用されるコネクタの一般要求事項を定義する、規格ＩＳＯ／ＩＣＥ  ８０３６９−（１）「ヘルスケア分野の液体および気体用小口径コネクタ」とともに新しい規格一式が作成され、「第２部」は、呼吸器使用向けの呼吸システムおよび駆動ガス用の特定のコネクタを定義している。このカテゴリは、呼吸器事例でＣＯ２の濃度または分圧のモニタリングである、カプノグラフ用のコネクタを含む。
【０００７】
第２部では、この目的のために推奨される新しいコネクタの定義および寸法を含む、呼吸システムおよび駆動ガスとともに使用されるコネクタの要求事項が示されている。本書では、提案されているコネクタ取付部品の概念、形状、および寸法は、ＩＳＯ  ５９４に定められているオリジナルのルアーコネクタに類似しているが、その寸法は、新しく提案されたコネクタをその最初のバージョンと組み合わせることができないようにするほど十分に、約３０％拡大されている。元のＩＳＯ  ５９４規格に定められる先細ルアーコネクタは、点滴システムとだけ使用するために保持された。つまり、同じ概念および形状を使用しているが、寸法がより小さい第３のコネクタ設計は、腸内用途と使用することを目的としたコネクタの第３のグループのために定められた。また、寸法は、異なる種類のコネクタ間での相互接続性が妨げられるように選ばれた。
【０００８】
ＩＳＯ  ５９４が、呼吸システム用、および結果的にカプノグラフ用途用のルアーコネクタを定義するために使用された時代においても、ルアー用に定義された設計がカプノグラフにとっては最適ではなかった可能性があることが留意されていた。呼吸のつねに変化する吸息段階および呼息段階によって作成されるＣＯ２波形の正確な表示が必要であるカプノグラフにとっていくぶん独特であることに、主要な注意は、試料採取された息がどのようにして患者から測定装置に移送されるのかに払われなければならない。試料採取技法は、変化するＣＯ２濃度の波形忠実度および形状が、かく乱されない波頭の非常に一定の層流を使用することによって維持されることを確実にしなければならない。かかるかく乱は、ガス流が粗い管系、液体フィルタ、または管系、導管もしくはコネクタの変化する直径の断面、方向および不規則性の突然の変化等を介して通過する場合に拡大する。システムが、試料採取された息を、患者からカプノグラフの測定センサに移送できる能力の利点の評価基準は、システムの立ち上がり時間（応答時間と呼ばれることもある）である。速い立ち上がり時間は、試料採取された息のうまく設計された移送を示す。一方、ゆっくりとした立ち上がり時間は、上記に定められたかく乱特長に苦しむ、息の不十分な移送を示す。
【０００９】
米国特許出願第２００８／０２８４１６７号、Low volume fittingsでは、ＩＳＯ  ５
９４規格によって決定される定められた形状および寸法が、組合せコネクタのガス流導管直径での避けられない変化のために、高速立ち上がり時間を提供するのに役立っていないことが注記される。これは、試料採取されたガスを移すために使用される内部導管の好ましい直径が、特にたとえば５０ｍｌ/分等の低いガスサンプリング流量を使用するカプノ
グラフにとって１ｍｍであるという事実の結果である。これは、これらのコネクタを生産するために使用される一般的な材料が、それが使い捨ての構成部品にとってはより経済的かつ適切であるためプラスチックとなるので、材料の選択によってさらに悪化する。プラスチックを用いると、６％先細円錐の公差を制御するのは困難であり、公差のこれらの差が、組み合わされた２つの取付部品の適合および最終位置の違いを決定する。この問題は、先行技術によるルアーコネクタを示す図１（Ａ、ＢおよびＣ）で見ることができる。ルアーコネクタ１０は、６％のテーパールアーオスコネクタ１２、および内側６％先細円錐を有するルアーメスコネクタ１４を含む。合わせられた取付部品（ルアーオスコネクタ１２およびルアーメスコネクタ１４）が結合されるときにも、たとえば、Ｅ最小（図１Ａ）、Ｅ平均（図１Ｂ）、およびＥ最大（図１Ｃ）の間の、大量生産のプラスチックパーツを生産するときには回避できない固有の公差のために変化することがある長さＥの導管部が
残る。これらのＥの値は規格で定義され、ルアーコネクタを製造するときに維持されなければならない。そのことについて、Ｅ最大は、規格によって依然として受け入れ可能である、ルアーオスコネクタとルアーメスコネクタとの間に形成される導管の最大の（最悪の）長さとして定義されてよい。
【００１０】
この欠点は、言及されたように、提案されている新しい寸法がなおさらに大きく、直径のなおさらに大きな変化を生じさせ、その結果としてさらに波頭を歪め、なおさらにゆっくりとした立ち上がり時間を生じさせる新しい未決の規格ＩＳＯ／ＣＤ  ８０３６９−１．２で大幅に大きくなる。新しい規格で定義される最大公差、平均公差、および最小公差（以下図１を参照すること）を表すアルミニウムコネクタを用いて実行された試験は、最大１８０ｍｓｅｃの立ち上がり時間の増加を示し、立ち上がり時間がはるかに遅くなったことを意味する。かかる増加は、カプノグラフ仕様で定められた立ち上がり時間の要求事項および性能パラメータが不適合になることを意味するだろう。 
【表１】
0005971774.tif 000002
【００１１】
この問題に対して試される解決策は、米国特許出願第２００８／０２８４１６７号、Low volume fittingsに提供される。ただし、この手法は新しい規格、つまりＩＳＯ／ＣＤ
８０３６９−１．２に準拠しながらも課題を解決するために使用することはできない。たとえば、米国特許出願第２００８／０２８４１６７号に説明されるルアーコネクタ１００を示す図１Ｄおよび図１Ｅを参照すること。上部１０８から末端表面１１０まで距離Ｆ分離れてルアーオスコネクタ１０２から突出するエラストマー材料１０６を用いて、６％テーパールアーオスコネクタ１０２の長さを伸ばすことが提案される。結果的に、合わせられた取付部品（ルアーオスコネクタ１０２およびルアーメスコネクタ１０４）が結合されるとき、エラストマー（軟）材料１０６は距離Ｆから距離Ｅに押し込められ、大きな直径の長さ削減が達成され、拡張されたエラストマー材料が、より大きな直径の導管の以前には不可避であった領域を妨げ、それによってそれを最小値に削減する。テーパーオスルアーの拡張されたエラストマー部、および長さ（６％テーパー）で削減するその直径は、より小さなサイズのルアーのメスコネクタの中に容易に押し込まれるので、かかる解決策は新しい規格では許容できない。上述されるように、類似した６％先細円錐付きの３つのサイズのルアーが導入されることが期待されているが、それらのサイズは、硬質材料が必要に応じて使用されるときには、より大きなサイズのルアーがより小さく定められたサイ
ズと結合できないほどである。これは出願（米国第２００８／０２８４１６７号）の提案されている解決策では当てはまらないだろう。
【００１２】
かかる誤接続を阻むために、新しい規格の要求事項は、オス側は文字「ｄ」およびメス側は「Ｄ」で示される、オス円錐端縁およびメス円錐端縁の直径、つまりメス側投入端縁およびオス挿入端縁の直径にとっての絶対的な寸法だけではなく、硬質材料の使用も決定づける。図２は、規格ＩＳＯ／ＩＣＥ  ８０３６９−２に表示される（本書では下記の表２に要約される）かかる小口径コネクタおよびその対応する寸法を示す。
【表２ａ】
0005971774.tif 000003
【表２ｂ】
0005971774.tif 000004
【００１３】
特に、メステーパー６％の開端での直径は「Ｄ」と定められる。
【００１４】
オステーパー６％の先端での直径は「ｄ」と定められる。
【００１５】
規格に準拠するルアーフィッティングを接続するときに発生する直径が変化する導管、およびそれらが促進するより低速の立ち上がり時間の問題に加えて、これらのタイプのコネクタでのさらなる課題は、それらが、希釈のために誤って低いＣＯ２濃度測定値を導入する漏れを被ることがある点である。これは、ルアーロックバージョン、つまり正しい結合が、２つの結合取付部品をともにしっかりとねじ込むことによって実現されるバージョンでより多く見られる。病院および緊急時の環境では、必要とされる作業の数、および限られた利用可能時間に、緊急状態が加わり、多くの場合にコネクタが安全にかつしっかりと結合されていない状態が生じる。これは、上述されたように、いくつかのケースでは、読取値に及ぼされるマイナス影響する漏れだけではなく直径が増加したなおさらに大きな領域を生じさせる。ユーザは、取付部品が正しくねじで留められるときに受け取られる確かなフィードバックを感じる必要があるが、医療環境での状況は、多くの場合、ユーザがこのフィードバックに敏感になることに役立たない。
【００１６】
したがって、カプノグラフモニタおよびそれらの患者インタフェースとともに使用するための、全ての関連するＩＳＯ規格に準拠し、立ち上がり時間でわずかで小さな増加しか被らない２つの取付部品を構造化し、結合するための経済的な手段であって、かつユーザが手段を制御する必要なくこの状態が実現されたときだけにそれらの間のガス流を可能に
するための２つの取付部品を構造化し、結合するための経済的な手段となる手段を見つける重要なニーズがある。
【００１７】
関連技術の上述の例、およびそれに関連する制限は、排他的ではなく、実例となることを目的としている。関連技術の他の制限は、明細書を読み、図を検討すると当業者に明らかになるだろう。
【課題を解決するための手段】
【００１８】
以下の実施形態およびその態様は、範囲で制限的ではなく、例示的かつ実例となるように意図されているシステム、ツール、および方法に関連して、説明、図解される。
【００１９】
いくつかの実施形態によると、呼吸ガスサンプリングおよび／または送達管システムで使用するためのルアーコネクタが提供されており、コネクタは、先細円錐の形を有し、一次ルアーオスコネクタの上部末端部分から後方にその近端部分に向かって伸長する二次メス部を含む一次ルアーオスコネクタを含み、一次ルアーオスコネクタは、その近端部から二次メス部までその長さに沿って（および二次メス部と流体流路接続して）伸長する第１の内側流体流路を含み、第１の内側流体流路は約ｄ１の直径を有し、直径は、第１の内側流体流路と二次メス部との間の接続点で増加してネックＮを形成し、ネックＮの内径はｄ１とｄ２との間であり、二次メス部は、一次ルアーオスコネクタの上部末端部分でｄ２の内径を有し、ｄ１はｄ２よりも小さく、一次ルアーオスコネクタは先細円錐の形を有する一次ルアーメスコネクタと結合するように構成され、その最深点で、先細円錐は二次オス部の中に反転して戻り、一次ルアーメスコネクタの空隙の中に戻り、二次オス部はその長さに沿って伸長し、約ｄ１の内径を有する第２の内側流体流路を含み、一次ルアーオスコネクタおよび一次ルアーメスコネクタが互いに結合するときに、二次オス部が少なくとも部分的に二次メス部の中に挿入される。
【００２０】
本明細書では、いくつかの実施形態に従って、呼吸ガスサンプリングおよび／または送達管システムで使用するためのルアーコネクタが提供されており、コネクタは先細円錐の形を有する一次ルアーメスコネクタを含み、その最深点で、先細円錐は二次オス部の中に反転して戻り、一次ルアーメスコネクタの空隙の中に戻り、二次オス部はその長さに沿って伸長し、約ｄ１の内径を有する第２の内側流体流路を含み、一次ルアーメスコネクタは先細円錐の形を有し、一次ルアーオスコネクタの上部末端部分から後方にその近端部分に向かって伸長する二次メス部を含む一次ルアーオスコネクタと結合するように構成され、一次ルアーオスコネクタは、その近端部から二次メス部までその長さに沿って（および二次メス部と流体流路接続して）伸長する第１の内側流体流路を含み、第１の内側流体流路は約ｄ１の直径を有し、直径は、第１の内側流体流路と二次メス部との間の接続点で増加してネックＮを形成し、ネックＮの内径はｄ１とｄ２との間であり、二次メス部は一次ルアーオスコネクタの上部末端部分でｄ２の内径を有し、ｄ１はｄ２よりも小さく、一次ルアーオスコネクタおよび一次ルアーメスコネクタが互いに結合するとき、二次オス部が少なくとも部分的に二次メス部の中に挿入される。
【００２１】
いくつかの実施形態によると、二次オス部は、Ｅ最大よりも大きい長さＬを有し、Ｅ最大は、一次ルアーオスコネクタおよび一次ルアーメスコネクタが結合されるときに、一次ルアーオスコネクタの上部末端部分と、一次ルアーメスコネクタの最深点との間に形成される最大距離である。
【００２２】
いくつかの実施形態によると、二次メス部の内側部分は、円錐形状を有する少なくとも一部を含む。二次メス部の内側部分は、本来、ネックＮから一次ルアーオスコネクタの上部末端部分へ先細になってよい。
【００２３】
いくつかの実施形態によると、二次メス部の内側壁は、本来、第１のおよび／または第２の内側流体流路の内側壁に平行である。
【００２４】
いくつかの実施形態によると、二次メス部は、その外側の少なくとも一部にねじ山を含む二次オス部と少なくとも部分的に結合するように構成されたねじ山を、その内側の少なくとも一部に含む。
【００２５】
いくつかの実施形態によると、二次オス部は、公差のための許容誤差を可能にするために１つまたは複数の側面の切れ目を含む。
【００２６】
いくつかの実施形態によると、二次オス部は、その上部に密封先端を含む。
【００２７】
いくつかの実施形態によると、二次オス部の内側壁は、本来、第１のおよび／または第２の内側流体流路の内側壁に平行である。
【００２８】
いくつかの実施形態によると、二次メス部は第１の導電性素子を含み、第１の導電性素子は、一次ルアーメスコネクタおよび一次ルアーオスコネクタが互いに対して正しく設置されているときに、二次オス部に配置される第２の導電性素子と回路を閉じるように構成される。第１の導電性素子は、二次メス部の内周に位置する導電性リングであってよく、第２の導電性素子は電極ストリップを含んでよい。
【００２９】
本明細書に参照される導電性素子が、一次ルアーメスコネクタおよび一次ルアーオスコネクタが互いに対して正しく設置されるときに、第１の素子と第２の素子との間でのループ（たとえば、回路）の閉鎖を可能にする（たとえば、インダクタンス素子、キャパシタンス素子、抵抗素子またはその任意の組合せ等の光学素子、磁気素子、および電気素子であるが、これらに限定されない）どのような素子で置き換えられてもよいことに留意されたい。したがって、たとえば、一次ルアーメスコネクタおよび一次ルアーオスコネクタが互いに対して正しく設置されていない、または適合するパーツではない（たとえば、ガスサンプリング／送達のために構成されていない）場合、（カプノグラフ等の）呼吸ガスサンプリングおよび／またはガス送達システムは活性化されない、および／または一次ルアーメスコネクタと一次ルアーオスコネクタとの間の接続が正しくない／有効ではないことを示す警告が作成される。
【００３０】
本明細書では、いくつかの実施形態に従って、呼吸ガスサンプリングおよび／または送達管システムで使用するためのルアーコネクタが提供されており、コネクタは、先細円錐の形を有し、一次ルアーオスコネクタの上部末端部分から後方にその近端部分に向かって伸長する二次メス部を含む一次ルアーオスコネクタを含み、一次ルアーオスコネクタは、その近端部から二次メス部までその長さに沿って（および二次メス部との流体流路接続して）伸長する第１の内側流体流路を含み、第１の内側流体流路は約ｄ１の直径を有し、直径は、第１の内側流体流路と二次メス部との間の接続点で増加してネックＮを形成し、ネックＮの内径はｄ１とｄ２との間であり、二次メス部は、一次ルアーオスコネクタの上部末端部分でｄ２の内径を有し、ｄ１はｄ２よりも小さく、一次ルアーオスコネクタは、その最深点で開口部を有する、先細円錐の形を有する一次ルアーメスコネクタと結合するように構成され、ばね式インサートが本来一次ルアーメスコネクタの中心軸に沿って開口部を通って挿入されるように構成され、一次ルアーオスコネクタおよび一次ルアーメスコネクタが互いに結合するとき、ばね式インサートは、少なくとも部分的に二次メス部の中に挿入される。
【００３１】
本明細書では、いくつかの実施形態に従って、呼吸ガスサンプリングおよび／または送達管システムで使用するためのルアーコネクタが提供されており、コネクタは、その最深
点で開口部を有する、先細円錐の形を有する一次ルアーメスコネクタを含み、ばね式インサートが、本来一次ルアーメスコネクタの中心軸に沿って開口部を通って挿入されるように構成され、一次ルアーメスコネクタが、先細円錐の形を有し、一次ルアーオスコネクタの上部末端部分から後方にその近端部分に向かって伸長する二次メス部を含む一次ルアーオスコネクタと結合するように構成され、一次ルアーオスコネクタは、その近端部から二次メス部までその長さに沿って（および二次メス部と流体流路接続して）伸長する第１の内側流体流路を含み、第１の内側流体流路は約ｄ１の直径を有し、直径は、第１の内側流体流路と二次メス部との間の接続点で増加してネックＮを形成し、ネックＮの内径はｄ１とｄ２との間であり、二次メス部は一次ルアーオスコネクタの上部末端部分でｄ２の内径を有し、ｄ１はｄ２よりも小さく、一次ルアーオスコネクタおよび一次ルアーメスコネクタが互いに結合するとき、ばね式インサートが少なくとも部分的に二次メス部の中に挿入される。
【００３２】
いくつかの実施形態によると、ばね式インサートは、Ｅ最大よりも大きい長さＬを有し、Ｅ最大は、一次ルアーオスコネクタおよび一次ルアーメスコネクタが結合されるときに、一次ルアーオスコネクタの上部末端部分と、一次ルアーメスコネクタの最深点との間に形成される最大距離である。
【００３３】
いくつかの実施形態によると、二次メス部の内側壁は、本来、第１のおよび／または第２の内側流体流路の内側壁に平行である。いくつかの実施形態によると、二次メス部の内側壁およびばね式インサートの外側壁は円錐形であり、互いに嵌合するように適応される。
【００３４】
いくつかの実施形態によると、二次メス部は第１の導電性素子を含み、第１の導電性素子は、一次ルアーメスコネクタおよび一次ルアーオスコネクタが互いに対して正しく設置されているときに、ばね式インサートに配置される第２の導電性素子と回路を閉じるように構成される。第１の導電性素子は、二次メス部の内周に位置する導電性リングであってよく、第２の導電性素子は電極ストリップを含んでよい。
【００３５】
本明細書では、いくつかの実施形態に従って、呼吸ガスサンプリングおよび／または送達管システムで使用するためのルアーコネクタが提供されており、コネクタは、先細円錐の形を有し、一次ルアーオスコネクタの上部末端部分から後方にその近端部分に向かって伸長する二次メス部を含む一次ルアーオスコネクタを含み、一次ルアーオスコネクタは、その近端部から二次メス部までその長さに沿って（および二次メス部と流体流路接続して）伸長する第１の内側流体流路を含み、第１の内側流体流路は約ｄ１の直径を有し、直径は第１の内側流体流路と二次メス部との間の接続点で増加してネックＮを形成し、ネックＮの内径はｄ１とｄ２との間であり、二次メス部は、一次ルアーオスコネクタの上部末端部分でｄ２の内径を有し、ｄ１はｄ２よりも小さく、一次ルアーオスコネクタは、先細円錐の形を有する一次ルアーメスコネクタと結合するように構成され、その最深点で、先細円錐は二次オス部の中に反転して戻り、一次ルアーメスコネクタの空隙の中に戻り、二次オス部はその長さに沿って伸長し、約ｄ１の内径を有する第２の内側流体流路を含み、一次ルアーオスコネクタが第１の電気素子を含み、第１の電気素子は、一次ルアーメスコネクタおよび一次ルアーオスコネクタが互いに対して正しく設置されているときに一次ルアーメスコネクタに配置される第２の電気素子と回路を閉じるように構成される。
【００３６】
本明細書では、いくつかの実施形態に従って、呼吸ガスサンプリングおよび／または送達管システムで使用するためのルアーコネクタが提供されており、コネクタは、先細円錐の形を有する一次ルアーメスコネクタを含み、その最深点で、先細円錐は二次オス部の中に反転して戻り、一次ルアーメスコネクタの空隙の中に戻り、二次オス部は、その長さに沿って伸長し、約ｄ１の内径を有する第２の内側流体流路を含み、一次ルアーメスコネク
タは、先細円錐の形を有し、一次ルアーオスコネクタの上部末端部分から後方にその近端部分に向かって伸長する二次メス部を含む一次ルアーオスコネクタと結合するように構成され、一次ルアーオスコネクタは、その近端部から二次メス部までその長さに沿って（および二次メス部と流体流路接続して）伸長する第１の内側流体流路を含み、第１の内側流体流路は約ｄ１の直径を有し、直径は、第１の内側流体流路と二次メス部との間の接続点で増加してネックＮを形成し、ネックＮの内径はｄ１とｄ２の間であり、二次メス部は一次ルアーオスコネクタの上部末端部分でｄ２の内径を有し、ｄ１はｄ２よりも小さく、一次ルアーオスコネクタは第１の電気素子を含み、第１の電気素子は、一次ルアーメスコネクタおよび一次ルアーオスコネクタが互いに対して正しく設置されているときに、一次ルアーメスコネクタに配置される第２の電気素子と回路を閉じるように構成される。
【００３７】
いくつかの実施形態によると、二次メス部は第１の電気素子を含み、二次オス部は第２の電気素子を含む。第１のおよび／または第２の電気素子は、導電性素子、インダクタンス素子、キャパシタンス素子、抵抗素子、またはその任意の組合せを含んでよい。
【００３８】
いくつかの実施形態によると、一次ルアーオスコネクタおよび一次ルアーメスコネクタが互いに結合するとき、二次オス部は少なくとも部分的に二次メス部の中に挿入される。
【００３９】
本明細書では、いくつかの実施形態に従って、呼吸ガスサンプリングおよび／または送達管システムで使用するためのルアーコネクタが提供されており、コネクタは、先細円錐の形を有し、一次ルアーオスコネクタの上部末端部分から後方にその近端部分に向かって伸長する二次メス部を含む一次ルアーオスコネクタを含み、一次ルアーオスコネクタは、その近端部から二次メス部までその長さに沿って（および二次メス部と流体流路接続して）伸長する第１の内側流体流路を含み、第１の内側流体流路は約ｄ１の直径を有し、直径は第１の内側流体流路と二次メス部との間の接続点で増加してネックＮを形成し、ネックＮの内径はｄ１とｄ２との間であり、二次メス部は、一次ルアーオスコネクタの上部末端部分でｄ２の内径を有し、ｄ１はｄ２よりも小さく、一次ルアーオスコネクタは、その最深点で開口部を有する、先細円錐の形を有する一次ルアーメスコネクタと結合するように構成され、ばね式インサートは、本来、一次ルアーメスコネクタの中心軸に沿って開口部を通って挿入されるように構成され、一次ルアーオスコネクタが、第１の電気素子を含み、第１の電気素子は、一次ルアーメスコネクタおよび一次ルアーオスコネクタが互いに対して正しく設置されているときに一次ルアーメスコネクタに配置される第２の電気素子と回路を閉じるように構成される。
【００４０】
本明細書では、いくつかの実施形態に従って、呼吸ガスサンプリングおよび／または送達管システムで使用するためのルアーコネクタが提供されており、コネクタは、その最深点で開口部を有する、先細円錐の形を有する一次ルアーメスコネクタを含み、ばね式インサートは、本来、一次ルアーメスコネクタの中心軸に沿って開口部を通して挿入されるように構成され、一次ルアーメスコネクタは、先細円錐の形を有し、一次ルアーオスコネクタの上部末端部分から後方にその近端部に向かって伸長する二次メス部を含む一次ルアーオスコネクタと結合するように構成され、一次ルアーオスコネクタは、その近端部から二次メス部までその長さに沿って（および二次メス部と流体流路接続して）伸長する第１の内側流体流路を含み、第１の内側流体流路は約ｄ１の直径を有し、直径は、第１の内側流体流路と二次メス部との間の接続点で増加してネックＮを形成し、ネックＮの内径はｄ１とｄ２の間であり、二次メス部は一次ルアーオスコネクタの上部末端部分でｄ２の内径を有し、ｄ１はｄ２よりも小さく、一次ルアーオスコネクタは第１の電気素子を含み、第１の電気素子は、一次ルアーメスコネクタおよび一次ルアーオスコネクタが互いに対して正しく設置されているときに、一次ルアーメスコネクタに配置される第２の電気素子と回路を閉じるように構成される。
【００４１】
いくつかの実施形態によると、二次メス部は第１の電気素子を含み、ばね式インサートは第２の電気素子を含む。第１のおよび／または第２の電気素子は、導電性素子、インダクタンス素子、キャパシタンス素子、抵抗素子、またはその任意の組合せを含んでよい。
【００４２】
いくつかの実施形態によると、一次ルアーオスコネクタおよび一次ルアーメスコネクタが互いに結合するとき、ばね式インサートは少なくとも部分的に二次メス部の中に挿入される。
【００４３】
本明細書では、いくつかの実施形態に従って、呼吸ガスサンプリングおよび／または送達管システムで使用するためのルアーコネクタが提供されており、コネクタは、先細円錐の形を有し、一次ルアーオスコネクタの上部末端部分から後方にその近端部分に向かって伸長する二次メス部を含む一次ルアーオスコネクタを含み、一次ルアーオスコネクタは、その近端部から二次メス部までその長さに沿って（および二次メス部と流体流路接続して）伸長する第１の内側流体流路を含み、第１の内側流体流路は約ｄ１の直径を有し、直径は、第１の内側流体流路と二次メス部との間の接続点で増加してネックＮを形成し、ネックＮの内径はｄ１とｄ２との間であり、二次メス部は、一次ルアーオスコネクタの上部末端部分でｄ２の内径を有し、ｄ１はｄ２よりも小さく、一次ルアーメスコネクタは先細円錐の形を有し、その最深点で、先細円錐は二次オス部の中に反転して戻り、一次ルアーメスコネクタの空隙の中に戻り、二次オス部はその長さに沿って伸長し、約ｄ１の内径を有する第２の内側流体流路を含み、一次ルアーオスコネクタおよび一次ルアーメスコネクタが互いに結合するとき、二次オス部が少なくとも部分的に二次メス部の中に挿入される。
【００４４】
いくつかの実施形態によると、二次オス部は、Ｅ最大よりも大きい長さＬを有し、Ｅ最大は、一次ルアーオスコネクタおよび一次ルアーメスコネクタが結合されるときに、一次ルアーオスコネクタの上部末端部分と、一次ルアーメスコネクタの最深点との間に形成される最大距離である。
【００４５】
本明細書では、いくつかの実施形態に従って、呼吸ガスサンプリングおよび／または送達管システムで使用するためのルアーコネクタが提供され、コネクタは、先細円錐の形を有し、一次ルアーオスコネクタの上部末端部分から後方にその近端部分に向かって伸長する二次メス部を含む一次ルアーオスコネクタを含み、一時ルアーオスコネクタは、その近端部から二次メス部までその長さに沿って（および二次メス部と流体流路接続して）伸長する第１の内側流体流路を含み、第１の内側流体流路は約ｄ１の直径を有し、直径は、第１の内側流体流路と二次メス部との間の接続点で増加してネックＮを形成し、ネックＮの内径はｄ１とｄ２との間であり、二次メス部は、一次ルアーオスコネクタの上部末端部分でｄ２の内径を有し、ｄ１はｄ２よりも小さく、一次ルアーオスコネクタは、その最深点で開口部を有する、先細円錐の形を有し、ばね式インサートが本来一次ルアーメスコネクタの中心軸に沿って開口部を通って挿入されるように構成され、一次ルアーオスコネクタおよび一次ルアーメスコネクタが互いに結合するとき、ばね式インサートは、少なくとも部分的に二次メス部の中に挿入される。
【００４６】
いくつかの実施形態によると、ばね式インサートは、Ｅ最大よりも大きい長さＬを有し、Ｅ最大は、一次ルアーオスコネクタおよび一次ルアーメスコネクタが結合されるときに、一次ルアーオスコネクタの上部末端部分と、一次ルアーメスコネクタの最深点との間に形成される最大距離である。
【００４７】
いくつかの実施形態によると、本明細書に開示されるコネクタの任意の１つは、カプノグラフ等であるが、これに限られないガス分析装置で使用されてよい。
【００４８】
本明細書では、いくつかの実施形態に従って、一次ルアーオスコネクタであって、一次
ルアーオスコネクタの上部末端部分から後方にその近端部分に向かって伸長する二次メス部を含み、その近端部分からその長さに沿って伸長する第１の内側流体流路を含む一次ルアーオスコネクタと、一次ルアーメスコネクタであって、一次ルアーメスコネクタはその最深点で二次オス部の中に反転して戻り、二次オス部はその長さに沿って伸長する第２の内側流体流路を含む一次ルアーメスコネクタと、液体を吸収するように適応されたフィルタと、少なくとも１つの導電性ストリップとを含む、呼吸ガスサンプリングおよび／または送達管システムで使用するためのフィルタハウジングが提供されている。
【００４９】
いくつかの実施形態によると、フィルタハウジングの一次ルアーメスコネクタは、患者試料採取管の一次ルアーオスコネクタに接続されるように適応され、フィルタハウジングの一次ルアーオスコネクタは、モニタの一次ルアーメスコネクタに接続されるように適応される。
【００５０】
いくつかの実施形態によると、フィルタハウジングの一次ルアーメスコネクタが患者試料採取管の一次ルアーオスコネクタに接続されるとき、フィルタハウジングの一次ルアーメスコネクタの二次オス部は、患者試料採取管の一次ルアーオスコネクタの二次メス部の中に少なくとも部分的に挿入され、フィルタハウジングの一次ルアーオスコネクタが、モニタの一次ルアーメスコネクタに接続されるとき、モニタの一次ルアーメスコネクタの二次オス部が少なくとも部分的にフィルタハウジングの一次ルアーオスコネクタの二次メス部の中に挿入される。
【００５１】
いくつかの実施形態によると、モニタの活性化は、採取用配管全体が接続されているときだけに発生する。いくつかの実施形態によると、フィルタハウジングの一次オスルアーコネクタをモニタの一次ルアーメスコネクタに接続しても、モニタは作動しない。いくつかの実施形態によると、モニタは、フィルタハウジングの一次ルアーメスコネクタが患者試料採取管の一次ルアーオスコネクタに正しく接続されるとき、およびフィルタハウジングの一次ルアーオスコネクタがモニタの一次ルアーメスコネクタに正しく接続されるときだけに作動する。
【００５２】
いくつかの実施形態によると、フィルタハウジングの一次ルアーオスコネクタの二次メス部は第１の導電性素子を含み、フィルタハウジングの一次ルアーメスコネクタの二次オス部は第２の導電性素子を含む。
【００５３】
いくつかの実施形態によると、モニタの一次ルアーメスコネクタの二次オス部は第３の導電性素子を含む。いくつかの実施形態によると、試料採取管の一次ルアーオスコネクタの二次メス部は第４の導電性素子を含む。
【００５４】
いくつかの実施形態によると、第１のおよび第２の導電性素子は、少なくとも３つの受取導体パッドを含み、各受取導体パッドは非導電ギャップによってその近傍の導電性パッドから分離される。いくつかの実施形態によると、第１の導電性素子および第２の導電性素子は同一である。
【００５５】
いくつかの実施形態によると、（モニタの）第３の導電性素子は、非導電性ギャップによって分離される少なくとも２つの導電性ストリップを含む。
【００５６】
いくつかの実施形態によると、第１のおよび第２の導電性素子の少なくとも３つの受取導体パッド間のギャップの幅は、（モニタの）第３の導電性素子の少なくとも２つの導電性ストリップの幅に満たない。
【００５７】
いくつかの実施形態によると、（試料採取管の）第４の導電性素子は、導電性リングを
含む。
【００５８】
いくつかの実施形態によると、フィルタハウジングの一次ルアーオスコネクタがモニタの一次ルアーメスコネクタに正しく接続されるとき、およびフィルタハウジングの一次ルアーメスコネクタが試料採取管の一次ルアーオスコネクタに正しく接続されるときだけに、電気回路は閉じられ、モニタは作動する。いくつかの実施形態によると、フィルタハウジングの一次ルアーオスコネクタがモニタの一次ルアーメスコネクタに接続されるが、患者試料採取管の一次ルアーオスコネクタがフィルタハウジングの一次ルアーメスコネクタに接続されないとき、モニタは作動しない。
【００５９】
いくつかの実施形態によると、フィルタは中空の繊維フィルタである。
【００６０】
いくつかの実施形態によると、フィルタハウジングは、呼気がフィルタを迂回するのを妨げるように適応された遮断要素をさらに含む。
【００６１】
いくつかの実施形態によると、フィルタは、呼気がフィルタを迂回するのを妨げるために、フィルタハウジングに成形される。
【００６２】
いくつかの実施形態によると、少なくとも１つの導電性ストリップは、フィルタハウジングの一次メスルアーコネクタとフィルタハウジングの一次オスコネクタとの間で伝導するように適応される。
【００６３】
いくつかの実施形態によると、フィルタハウジングは、呼吸ガスサンプリングおよび／または送達管システムの中に組み込まれるように構成される。
【００６４】
本明細書では、いくつかの実施形態に従って、
第１の一次ルアーオスコネクタであって、第１の一次ルアーオスコネクタが、第１の一次ルアーオスコネクタの上部末端部分から後方にその近端部分に向かって伸長する二次メス部を含み、第１の一次ルアーオスコネクタがその近端部からその長さに沿って伸長する第１の内側流体流路を含む、第１の一次ルアーオスコネクタと、
第２の一次ルアーオスコネクタであって、第２の一次ルアーオスコネクタが、第２の一次ルアーオスコネクタの上部末端部分から後方にその近端部分に向かって伸長する二次メス部を含み、第２の一次ルアーオスコネクタがその近端部からその長さに沿って伸長する第１の内側流体流路を含む、第２の一次ルアーオスコネクタと、
液体を吸収するように適応されるフィルタと、 
第１の一次オスルアーコネクタと第２の一次オスコネクタとの間で伝導するように構成される少なくとも１つの導電性ストリップと、
を含む、呼吸ガスサンプリングおよび／または送達管システムで使用するためのフィルタハウジングが提供される。
【００６５】
いくつかの実施形態によると、フィルタハウジングの第１の一次ルアーオスコネクタは、患者試料採取管の一次ルアーメスコネクタに接続されるように適応され、フィルタハウジングの第２の一次ルアーオスコネクタは、モニタの一次ルアーメスコネクタに接続されるように適応される。
【００６６】
いくつかの実施形態によると、フィルタハウジングの第１の一次ルアーオスコネクタの二次メス部は第１の導電性素子を含み、フィルタハウジングの第２の一次ルアーオスコネクタの二次メス部は第２の導電性素子を含む。
【００６７】
いくつかの実施形態によると、第１の導電性素子および第２の導電性素子は、受取導体
パッドを含む。
【００６８】
いくつかの実施形態によると、モニタの一次ルアーメスコネクタの二次オス部は、第３の導電性素子を含む。いくつかの実施形態によると、第３の導電性素子は、電極ストリップを含む。
【００６９】
いくつかの実施形態によると、試料採取管の一次ルアーメスコネクタの二次オス部は、第４の導電性素子をさらに含む。
【００７０】
いくつかの実施形態によると、モニタは、フィルタハウジングの第１の一次ルアーオスコネクタが患者試料採取管の一次ルアーメスコネクタに接続されるとき、およびフィルタハウジングの第２の一次ルアーオスコネクタがモニタの一次ルアーメスコネクタに接続されるときだけに作動する。
【００７１】
いくつかの実施形態によると、フィルタハウジングの第１の一次ルアーオスコネクタがモニタの一次ルアーメスコネクタに接続されるが、患者試料採取管の一次ルアーメスコネクタがフィルタハウジングの第２の一次ルアーオスコネクタに接続されていないとき、モニタは作動しない。
【００７２】
例示的な実施形態は、参照される図に示される。図に示される構成要素および特長の寸法は、一般に便宜上および提示を明確にするために選ばれており、必ずしも原寸に比例して示されていない。本明細書に開示される実施形態および図は、制限的というよりむしろ実例となると見なされるべきである。以下に図を示す。
【図面の簡単な説明】
【００７３】
【図１Ａ】先行技術のルアーコネクタを示す図である。
【図１Ｂ】先行技術のルアーコネクタを示す図である。
【図１Ｃ】先行技術のルアーコネクタを示す図である。
【図１Ｄ】先行技術のルアーコネクタを示す図である。
【図１Ｅ】先行技術のルアーコネクタを示す図である。
【図２】規格ＩＳＯ／ＩＣＥ  ８０３６９−２に従った小口径コネクタを示す図である。
【図３】本発明の実施形態によるルアーコネクタの断面を示す図である。
【図４】本発明の実施形態によるルアーコネクタの断面を示す図である。
【図５】本発明の実施形態によるルアーコネクタの断面を示す図である。
【図６】本発明の実施形態によるルアーコネクタの断面を示す図である。
【図７】本発明の実施形態に従って、採取用配管の中へのアセンブリのためのルアーコネクタを含むフィルタの断面図である。
【図８】本発明の実施形態による導電性素子を概略で示す図である。
【発明を実施するための形態】
【００７４】
本明細書では、いくつかの実施形態に従って、ガス管システムで使用するための一次ルアーオスコネクタおよび一次ルアーメスコネクタを含むルアーコネクタが提供される。本明細書の実施形態によるルアーコネクタは、患者インタフェースまたは採取用配管に沿ったどこででも使用され得る。たとえば、いくつかの実施形態によるルアーコネクタは、モニタ入力コネクタと患者インタフェースとの間のモニタ側に配置されてよい。別の例では、いくつかの実施形態によるルアーコネクタは、気道アダプタまたはカニューレと試料採取管との間に配置されてよい。一次ルアーオスコネクタおよび一次ルアーメスコネクタは、交互に用いられてよい。たとえば、一次ルアーオスコネクタは（ガスカプノグラフ等の）モニタ側で使用されてよく、一次ルアーメスコネクタは（使い捨て）採取用配管側で使
用されてよく、また逆の場合には、一次ルアーメスコネクタが、（ガスカプノグラフ等の）モニタ側で使用されてよく、一次ルアーオスコネクタが（使い捨て）採取用配管側で使用されてよい。
【００７５】
本発明のいくつかの実施形態に従って、提案されている解決策は、一方では新規格ＩＳＯ／ＣＤ  ８０３６９−２に準拠しているが、取付部品結合時に、内部を呼気標本が流れる導管の直径の変化および急増が最小値まで削減され、これが最小の長さ削減されることを決定づける、好ましくは２つであるが、少なくとも１つの主要な特長、おもに機械的な構造体を含む。さらに、オスコネクタとメスコネクタの双方が弱く結合されるときにも最小限の漏れを決定づける。第２に、いくつかの実施形態によると、コネクタは、いつ立ち上がり時間に対する最小の影響だけではなく最小の漏れも達成されたのかを検出するための簡略な手段を提供し、そのときにだけ自動検出システムがモニタサンプリング機能を活性化する。
【００７６】
ルアーコネクタの以下の４つの主要な態様は、本明細書に提示される問題に対する、いくつかの実施形態による解決策として提示される。
（ルアーコネクタ‐第１の態様）
【００７７】
いくつかの実施形態によると、第１の特長は、長い焦点距離の結像系の機械的な寸法が長い光路を決定する光学系に匹敵する手段を使用することによって達成される。かかるシステムでは、光路は、全体系の長さを削減するためにそれら自体の上で折り畳まれる、または鏡によって向け直されるかのどちらかである。同様に、この折り畳む主構は、オスルアーロックおよびメスルアーロックと使用される。説明されるように、カプノグラフを備える最適設計の場合、６％の先細円錐取付部品は、好ましくは、呼気標本を送るために使用される内部導管の内部オリフィスを円錐が交差する点に到達するように長さを増加されるだろう。これが当てはまる場合、オスルアーおよびメスルアーの結合時、理論的には、オスコネクタからメスコネクタに移動するときに直径にはごくわずかな変化しかなく、したがって採取された呼気立ち上がり時間に対してもごくわずかな影響を生じさせるだろう。
【００７８】
かかる設計は、たとえそれがその極端に長いコネクタで受け入れ可能であったとしても、テーパーコネクタの端部での最終（外部）直径が、（文字「ｄ」で定められる）オス側で４．５８ｍｍの直径に、および（文字「Ｄ」で定められる）（表１を参照）メス側で４．８７ｍｍに明確に制限される新規格の定義によって受け入れられない。これを克服するために、「ｄ」および「Ｄ」の上記値に準拠しつつも、メス部の中にオス伸長部を反転させて、メス部がオス伸長部の中に戻ることによってオスコネクタの長さが伸びるように、先細円錐上で折り畳むことが可能である。この反転は、オス伸長部の（外部）直径が、規格に定められる公称直径である直径「ｄ」に達するときになされる。
【００７９】
かかる反転を有するルアーコネクタの例は、本発明の実施形態によるルアーコネクタの断面を示す図３Ａに示される。ルアーコネクタ３００は、一次ルアーオスコネクタ３０２および一次ルアーメスコネクタ３０４を含む。一次ルアーオスコネクタ３０２は、円錐形状を有し、一次ルアーオスコネクタ３０２の上部末端部分３０８から後方に一次ルアーオスコネクタ３０２の中にその近端部分に向かって伸長する二次メス部３０６を形成するメス部分を含む。一次ルアーオスコネクタ３０２は、その長さに沿って一次ルアーオスコネクタ３０２の近端部から二次メス部３０６まで（および二次メス部３０６と流体流路接続して）伸長する（集中型の）第１の内側流体流路３１０を含む。第１の内部流路３１０はｄ１の直径を有する。第１の内側流体流路３１０と二次メス部３０６との間の接続点で、内径が増加して、本来、第１の内側流体流路３１０の内側壁に直角な表面３６０を有するネックＮを形成し、ネックＮの内径はｄ１とｄ２との間であり、二次メス部３０６は一次
ルアーオスコネクタ３０２の上部末端部分３０８でｄ２の内径を有し、ｄ１はｄ２よりも小さい。
【００８０】
図示されていない別の実施形態によると、本書に示されるが、たとえば二次メス部３０６に限定されない二次メス部は、先細でなくてよい。たとえば、二次メス部３０６は、表面３６０でｄ２の内径を、一次ルアーオスコネクタ３０２の上部末端部分３０８でｄ２の本来同じ内径を有してよい。言い換えると、（二次メス部３０６等の）二次メス部の内壁は、本来、（第１の内側流体流路３１０等の）第１のまたは第２の内側流体流路の内壁に平行であってよい。
【００８１】
同等に、組合せコネクタでは、その最深点３１２でおもにメスの形をしている一次ルアーメスコネクタ３０４、つまり先細円錐３１４は、円錐形状を有し、一次ルアーメスコネクタ３０４の空隙空間の中に戻る二次オス部３１６の中に反転して戻る。二次オス部３１６に沿って伸長する第２の内側流体流路３１８は、ｄ１の直径を有する。
【００８２】
一次ルアーメスコネクタ（テーパー６％）の開端での直径は「Ｄ」として定められている。
【００８３】
一次ルアーオスコネクタ（テーパー６％）３０２の先端での（外部）直径は「ｄ」として定められている。
【００８４】
このようにして、２つのコネクタ（一次ルアーオスコネクタ３０２および一次ルアーメスコネクタ３０４）は依然としてうまく結合し、規格によって要求される寸法「ｄ」および「Ｄ」を保持しているが、よりコンパクトになり、「ｄ」および「Ｄ」よりもはるかに少ない小さい直径（ｄ１）で終了し、したがってガスが一方から他方に流れるときに、直径の小さな変化が生じ、その結果として立ち上がり時間に対する影響を削減する。このようにして、新規格によって要求されるように、より大きなサイズのオスルアーをより小さいサイズのメスルアーの中に不用意に挿入することが防止される。
【００８５】
簡単にするために、オスルアーおよびメスルアーの元の部分が一次オス部および一次メス部と呼ばれ、一方反転した部分が二次オス部および二次メス部と呼ばれることに留意されたい。
【００８６】
いくつかの実施形態によると、（二次オス部３１６および二次メス部３０６等の）二次オス部および二次メス部は、その公差が（一次ルアーオスコネクタ３０２および一次ルアーメスコネクタ３０４等の）一次オス部および一次メス部のテーパー角度の下側にあるテーパー角度を有する。これは、２つの取付部品が、最初に、より短くかつより小さい二次オス部および二次メス部で閉じるのではなく、おもに一次オス円錐および一次メス円錐と結合するためである。二次オスルアー部を、二次メス部を作るために使用される材料よりも軟らかな材料から製造することも可能であり、このようにして一次ルアーと同じテーパーおよびその公差の二次オス部を作ることができる。軟質材料は、寸法が指定されており、したがって軟質材料が歪みおよび必要とされる寸法のノンコンプライアンスを可能するそれらの領域の設計についてだけ不適格とされるので、この軟質材料を追加しても規格に準拠している。
【００８７】
いくつかの実施形態によると、ルアーコネクタ３００の外部は、その組合せコネクタに対する１つのコネクタのねじり能力をさらに含む。つまり、ルアーオスコネクタ３０２は、その外側部分にねじ山３２０を含み、一次ルアーメスコネクタ３０２はその外側部分にねじ山３２２を含む
【００８８】
本発明の実施形態によるルアーコネクタは、通常のルアーまたはスリップルアーから成る場合があり、つまりそれぞれ外部ねじ山があるか、外部ねじ山がないかのどちらかであることに留意されたい。
【００８９】
いくつかの実施形態によると、一次ルアーオスコネクタ３０２および一次ルアーメス３０４が互いに結合するとき、二次オス部３１６は二次メス部３０６に少なくとも部分的に挿入される。
【００９０】
いくつかの実施形態によると、二次オス部３１６はＥ最大よりも大きい長さＬを有し、Ｅ最大は、一次ルアーオスコネクタ３０２および一次ルアーメスコネクタ３０４が結合するときに一次ルアーオスコネクタ３０２の上部末端部分３０８と一次ルアーメスコネクタ３０４の最深点３１２との間の最大距離であり、それらの円錐の公差はそれらの限界にあり（たとえば、図１Ｃを参照）、したがって結合は結合プロセスの早期に発生する。
【００９１】
いくつかの実施形態による第２の特長は、上記に設計されたようなパーツが、最小の漏れおよび直径のごくわずかな変化が実現されたときだけにモニタを作動させることを検出するために使用される。このために、たとえば、回路を閉じてそのインダクタンスもしくはキャパシタンス、またはその部分の抵抗等を変更することによって電気回路に対する変更を検出することに基づいた方法等のいくつかの方法が使用できる。代わりに、光学変化または磁気変化を検出することに基づいた方法も適用できる。たとえば、モニタ側で一次メスルアーロックが使用される場合、（２つの）電極ストリップ（たとえば、３２４および３２８）が、組合せ一次ルアーオスコネクタ３０２が正しく設置されるときに、それが電極ストリップ３２４および３２８のこの点に達するはずである点まで一次メス開口部（図示せず）または二次オス部分３１６のどちらかの内側を覆うことがある。組合せ一次ルアーオスコネクタ３０２では、その端部で、または二次メス部３０６の端部で内部に、導電性リング３２６が設置される。いくつかの実施形態によると、導電性リング３２６は、二次メス部３０６の内周に配置される。コネクタが正しく十分に定位置にあるとき、導電性リング３２６は電極ストリップ３２４および３２８で終わる回路を閉じる。電極ストリップ３２４および３２８は、その２つの間にコンダクタンスがあるのか、それともないのかを検出できる回路に同様に接続され、検出時、サンプリングを提供するために使用されるポンプを結果的に作動させる信号が生成される。
【００９２】
いくつかの実施形態によると、本明細書で参照される用語、正しく設置されるは、立ち上がり時間の大きな劣化または減速がなく、採取されたガスのごくわずかな漏れが起こることがある、一次ルアーメスコネクタと一次ルアーオスコネクタとの間の結合部を指し、定義する。
【００９３】
インダクタンスもしくはキャパシタンスも使用することができる、または２つの誘電性または導電性の材料および表面が、一方が他方に関連して配置されるときに回路の電子特性を変更することがあるなんらかの他の方法。２つの材料面の重複は、コネクタが正しく結合されることから、または２つのコネクタ間の結合のレベルに比例して電気特性を変更するコネクタ間の距離に到達することから生じることがある。これらの変更は、モニタによって検出され、正しい結合が達成されるときだけにモニタサンプリングシステムを作動させることができる。
【００９４】
さらなる実施形態では、導電性リングは、測定時に、所与のタイプもしくはクラスのモニタ、または関連するコネクタで終了するタイプおよびクラスの患者インタフェース用の指標として使用できる抵抗で変わることがあるだろう。
【００９５】
かかる反転の別の例は、本発明の実施形態によるルアーコネクタの断面を示す図３Ｂに
示されている。ルアーコネクタ３００’は、二次オス部の構造を除き、図３Ａのルアーコネクタ３００に似ている。ルアーコネクタ３００’は、一次ルアーオスコネクタ３０２’および一次ルアーメスコネクタ３０４’を含む。一次ルアーオスコネクタ３０２’は、円錐形状を有し、一次ルアーオスコネクタ３０２’の上部末端部分３０８’から後方に一次ルアーオスコネクタ３０２’の中にその近端部分に向かって伸長する二次メス部３０６’を形成するメス部分を含む。一次ルアーオスコネクタ３０２’は、その長さに沿って一次ルアーオスコネクタ３０２’の近端部から二次メス部３０６’まで（および二次メス部３０６’と流体流路接続して）伸長する（集中型の）第１の内側流体流路３１０’を含む。第１の内部流路３１０’はｄ１の直径を有する。
【００９６】
第１の内側流体流路３１０’と二次メス部３０６’との間の接続点で、内径が増加して、本来、第１の流体流路３１０’の内側壁に直角の表面３６０’を有するネックＮを形成し、ネックＮの内径はｄ１とｄ２との間であり、二次メス部３０６’は、一次ルアーオスコネクタ３０２’の上部末端部分３０８でｄ２の内径を有し、ｄ１はｄ２よりも小さく、逆の場合もあり、組合せコネクタではその最深点３１２でおもにメスの形をしている一次ルアーメスコネクタ３０４’、つまり先細円錐３１４’が二次オス部３１６’の中に反転して戻り、二次オス部３１６’は一次ルアーメスコネクタ３０４’の空隙空間の中に戻る。二次オス部３１６’に沿って伸長する第２の内側流体流路３１８’は、ｄ１の直径を有する。二次オス部３１６’はその先端３３０（ルアーメスコネクタ３０４’の最深点３１２’から最も遠く離れている部分）だけで円錐の形状を有する。円錐形状先端３３０は、２つの（ただし、１つまたは複数である場合もある）側面の切れ目３４０および３４２を有して、公差のための許容誤差を可能にする。先端３３０の平面図は円内に示されている。
【００９７】
一次ルアーメスコネクタ（テーパー６％）３０４’の開端での直径は「Ｄ」として定められている。
【００９８】
一次ルアーオスコネクタ（テーパー６％）３０２’の先端での（外部）直径は「ｄ」として定められている。
【００９９】
このようにして、２つのコネクタ（一次ルアーオスコネクタ３０２’および一次ルアーメスコネクタ３０４’）は依然としてうまく結合し、規格によって要求される寸法「ｄ」および「Ｄ」を保持しているが、よりコンパクトになり、「ｄ」および「Ｄ」よりもはるかに少ない小さい直径（ｄ１）で終了し、したがってガスが一方から他方に流れるときに、直径の小さな変化が生じ、その結果として立ち上がり時間に対する影響を削減する。このようにして、新規格によって要求されるように、より大きなサイズのオスルアーをより小さいサイズのメスルアーの中に不用意に挿入することが防止される。
【０１００】
簡単にするために、オスルアーおよびメスルアーの元の部分が一次オス部および一次メス部と呼ばれ、一方反転した部分が二次オス部および二次メス部と呼ばれることに留意されたい。
【０１０１】
いくつかの実施形態によると、二次オス部３１６’の先端３３０および二次メス部３０６’は、その公差が（一次ルアーオスコネクタ３０２’および一次ルアーメスコネクタ３０４’等の）一次オス部および一次メス部のテーパー角度の下側にあるテーパー角度を有する。これは、２つの取付部品が、最初に、より短くかつより小さい二次オス部および二次メス部で閉じるのではなく、おもに一次オス円錐および一次メス円錐と結合するためである。また、この効果は、上述された先端３３０（切れ目）の不完全な形状によって支援される。
【０１０２】
いくつかの実施形態によると、ルアーコネクタ３００’の外部は、その組合せコネクタに対する１つのコネクタのねじり能力をさらに含む。つまり、ルアーオスコネクタ３０２’は、その外側部分にねじ山３２０を含み、一次ルアーメスコネクタ３０２’はその外側部分にねじ山３２２’を含む。
【０１０３】
いくつかの実施形態によると、一次ルアーオスコネクタ３０２’および一次ルアーメスコネクタ３０４’が互いに結合するとき、二次オス部３１６’は少なくとも部分的に二次メス部３０６’に挿入される。
【０１０４】
いくつかの実施形態によると、二次オス部３１６’はＥ最大よりも大きい長さＬを有し、Ｅ最大は、一次ルアーオスコネクタ３０２’および一次ルアーメスコネクタ３０４’が結合するときに一次ルアーオスコネクタ’３０２の上部末端部分３０８’と一次ルアーメスコネクタ３０４’の最深点３１２’との間の最大距離であり、それらの円錐の公差はそれらの限界にあり（たとえば、図１Ｃを参照）、したがって結合は結合プロセスの早期に発生する。
【０１０５】
いくつかの実施形態による第２の特長は、上記に設計されたようなパーツが、最小の漏れおよび直径のごくわずかな変化が実現されたときだけにモニタを作動させることを検出するために使用される。このために、たとえば、回路を閉じてそのインダクタンスもしくはキャパシタンス、またはその部分の抵抗等を変更することによって電気回路に対する変更を検出することに基づいた方法等のいくつかの方法が使用できる。代わりに、光学変化または磁気変化を検出することに基づいた方法も適用できる。たとえば、モニタ側で一次メスルアーロックが使用される場合、（２つの）電極ストリップ（たとえば、３２４’および３２８’）が、（組合せ一次ルアーメスコネクタ３０２が正しく設置されるときに、それが電極ストリップ３２４’および３２８’のこの点に達するはずである点まで一次メス開口部（図示せず）または二次オス部３１６’の先端３３０のどちらかの内側を覆うことがある。組合せ一次ルアーオスコネクタ３０２’では、その端部で、または二次メス部３０６’の端部で内部に、導電性リング３２６が設置される。いくつかの実施形態によると、導電性リング３２６’は、二次メス部３０６’の全内周に配置される。コネクタが正しく十分に定位置にあるとき、導電性リング３２６’は電極ストリップ３２４’および３２８’で終わる回路を閉じる。電極ストリップ３２４’および３２８’は、その２つの間にコンダクタンスがあるのか、それともないのかを検出できる回路に同様に接続され、検出時、サンプリングを提供するために使用されるポンプを結果的に作動する信号が生成される。
【０１０６】
いくつかの実施形態によると、用語、正しく設置されるは、立ち上がり時間の大きな劣化または減速がなく、採取されたガスのごくわずかな漏れが起こることがある結合部を定義する。
【０１０７】
インダクタンスもしくはキャパシタンスも使用することができる、または２つの誘電性または導電性の材料および表面が、一方が他方に関連して配置されるときに回路の電子特性を変更することがあるなんらかの他の方法。２つの材料面の重複は、コネクタを正しく結合することから、または２つのコネクタ間の結合のレベルに比例して電気特性を変更するコネクタ間の距離に到達することから生じることがある。これらの変更は、モニタによって検出され、正しい結合が達成されるときだけにモニタサンプリングシステムを作動させることができる。
【０１０８】
さらなる実施形態では、導電性リングは、測定時に、所与のタイプもしくはクラスのモニタ、または関連するコネクタで終了するタイプおよびクラスの患者インタフェース用の指標として使用できる抵抗で変わることがあるだろう。
【０１０９】
かかる反転の別の例は、本発明の実施形態によるルアーコネクタの断面を示す図３Ｃに示されている。ルアーコネクタ３００”は、二次オス部の構造を除き、図３Ａのルアーコネクタ３００に似ている。ルアーコネクタ３００”は、一次ルアーオスコネクタ３０２”および一次ルアーメスコネクタ３０４”を含む。一次ルアーオスコネクタ３０２”は、円錐形状を有し、一次ルアーオスコネクタ３０２’の上部末端部分３０８”から後方に一次ルアーオスコネクタ３０２”の中にその近端部分に向かって伸長する二次メス部３０６”を形成するメス部分を含む。一次ルアーオスコネクタ３０２”は、その長さに沿って一次ルアーオスコネクタ３０２”の近端部から二次メス部３０６”まで（および二次メス部３０６”と流体流路接続して）伸長する（集中型の）第１の内側流体流路３１０”を含む。第１の内部流路３１０”はｄ１の直径を有する。第１の内側流路３１０“と二次メス部３０６”との間の接続点で、内径が増加して、本来、第１の内側流体流路３１０“の内側壁に直角の表面３６０”を有するネックＮを形成し、ネックＮの内径はｄ１とｄ２との間であり、二次メス部３０６”は、一次ルアーオスコネクタ３０２”の上部末端部分３０８”のｄ２の内径を有し、ｄ１はｄ２よりも小さく、逆の場合もあり、組合せコネクタで、その最深点３１２”でおもにメスの形をしている一次ルアーメスコネクタ３０４”、つまり先細円錐３１４”は、二次オス部３１６“の中に反転して戻り、二次オス部３１６”は一次ルアーメスコネクタ３０４”の空隙空間の中に戻る。二次オス部３１６”に沿って伸長する第２の内側流体流路３１８’は、ｄ１の直径を有する。二次オス部３１６”は、ルアーメスコネクタ３０４’の最深点３１２’から最も遠く離れている部分に、密封先端３７０を有する。密封先端３７０は、二次オス部３１６”の材料よりも軟らかな材料から作られる（それは、たとえばＯリング、ＰＶＣボール、または密封のために使用できる任意の他の材料から作られてよい）。二次オス部３１６”の内側壁は（図示されるように）、先細になってよい（円錐形状）、または先細にならなくてよい。
【０１１０】
一次ルアーメスコネクタ（テーパー６％）３０４“の開端での直径は「Ｄ」として定められている。
【０１１１】
一次ルアーオスコネクタ（テーパー６％）３０２“の先端での（外部）直径は「ｄ」として定められている。
【０１１２】
このようにして、２つのコネクタ（一次ルアーオスコネクタ３０２“および一次ルアーメスコネクタ３０４“）は依然としてうまく結合し、規格によって要求される寸法「ｄ」および「Ｄ」を保持しているが、よりコンパクトになり、「ｄ」および「Ｄ」よりもはるかに少ない小さい直径（ｄ１）で終了し、したがってガスが一方から他方に流れるときに、直径の小さな変化が生じ、その結果として立ち上がり時間に対する影響を削減する。このようにして、新規格によって要求されるように、より大きなサイズのオスルアーをより小さいサイズのメスルアーの中に不用意に挿入することが防止される。
【０１１３】
簡単にするために、オスルアーおよびメスルアーの元の部分が一次オス部および一次メス部と呼ばれ、一方反転した部分が二次オス部および二次メス部と呼ばれることに留意されたい。
【０１１４】
いくつかの実施形態によると、ルアーコネクタ３００“の外部は、その組合せコネクタに対する１つのコネクタのねじり能力をさらに含む。つまり、ルアーオスコネクタ３０２”は、その外側部分にねじ山３２０”を含み、一次ルアーメスコネクタ３０２”はその外側部分にねじ山３２２”を含む。
【０１１５】
いくつかの実施形態によると、一次ルアーオスコネクタ３０２“および一次ルアーメスコネクタ３０４”が互いに結合するとき、二次オス部３１６”は少なくとも部分的に二次
メス部３０６”に挿入される。
【０１１６】
いくつかの実施形態によると、二次オス部３１６”はＥ最大よりも大きい長さＬを有し、Ｅ最大は、一次ルアーオスコネクタ３０２”および一次ルアーメスコネクタ３０４“が結合するときに一次ルアーオスコネクタ３０２”の上部末端部分３０８“と一次ルアーメスコネクタ３０４”の最深点３１２“との間の最大距離であり、それらの円錐の公差はそれらの限界にあり（たとえば、図１Ｃを参照）、したがって結合は結合プロセスの早期に発生する。
【０１１７】
図３Ａに説明される実施形態に類似するいくつかの実施形態（図示せず）によると、いくつかの実施形態による第２の特長は、上記に設計されたようなパーツが、最小の漏れおよび直径のごくわずかな変化が実現されたときだけにモニタを作動させることを検出するために使用され得る。
【０１１８】
かかる反転の別の例は、本発明の実施形態によるルアーコネクタの断面を示す図４に示されている。ルアーコネクタ４００は、一次ルアーオスコネクタ４０２および一次ルアーメスコネクタ４０４を含む。一次ルアーオスコネクタ４０２は、円錐形状を有し、一次ルアーオスコネクタ４０２の上部末端部分４０８から後方に一次ルアーオスコネクタ４０２の中にその近端部分に向かって伸長する二次メス部４０６を形成するメス部分を含む。一次ルアーオスコネクタ４０２は、その長さに沿って一次ルアーオスコネクタ４０２の近端部から二次メス部４０６まで（および二次メス部４０６と流体流路接続して）伸長する（集中型の）第１の内側流体流路４１０を含む。第１の内部流路４１０はｄ１の直径を有する。二次メス部４０６は、それがｄ１の直径を有し始め、一次ルアーオスコネクタ４０２の上部末端部分４０８でのｄ２の内径まで先細り、ｄ１がｄ２よりも小さくなるように先細る。
【０１１９】
同等に、組合せコネクタでは、その最深点４１２でおもにメスの形をしている一次ルアーメスコネクタ４０４、つまり先細円錐４１４は、円錐形状を有し、一次ルアーメスコネクタ４０４の空隙空間の中に戻る二次オス部４１６の中に反転して戻る。二次オス部４１６に沿って伸長する第２の内側流体流路４１８は、ｄ１の直径を有する。
【０１２０】
一次ルアーメスコネクタ（テーパー６％）４０４の開端での直径は「Ｄ」として定められている。
【０１２１】
一次ルアーオスコネクタ（テーパー６％）４０２の先端での（外部）直径は「ｄ」として定められる。
【０１２２】
このようにして、２つのコネクタ（一次ルアーオスコネクタ４０２および一次ルアーメスコネクタ４０４）は依然としてうまく結合し、規格によって要求される寸法「ｄ」および「Ｄ」を保持しているが、よりコンパクトになり、「ｄ」および「Ｄ」よりもはるかに少ない小さい直径（ｄ１）で終了し、したがってガスが一方から他方に流れるときに、直径の小さな変化が生じ、その結果として立ち上がり時間に対する影響を削減する。このようにして、新規格によって要求されるように、より大きなサイズのオスルアーをより小さいサイズのメスルアーの中に不用意に挿入することが防止される。
【０１２３】
簡単にするために、オスルアーおよびメスルアーの元の部分が一次オス部および一次メス部と呼ばれ、一方反転した部分が二次オス部および二次メス部と呼ばれることに留意されたい。
【０１２４】
いくつかの実施形態によると、（二次オス部４１６および二次メス部４０６等の）二次
オス部および二次メス部は、その公差が（一次ルアーオスコネクタ４０２および一次ルアーメスコネクタ４０４等の）一次オス部および一次メス部のテーパー角度の下側にあるテーパー角度を有する。これは、２つの取付部品が、最初に、より短くかつより小さい二次オス部および二次メス部で閉じるのではなく、おもに一次オス円錐および一次メス円錐と結合するためである。二次オスルアー部を、二次メス部を作るために使用される材料よりも軟らかな材料から製造することも可能であり、このようにして一次ルアーと同じテーパーおよびその公差の二次オス部を作ることができる。
【０１２５】
いくつかの実施形態によると、ルアーコネクタ４００の外部は、その組合せコネクタに対する１つのコネクタのねじり能力をさらに含む。つまり、ルアーオスコネクタ４０２は、その外側部分にねじ山４２０を含み、一次ルアーメスコネクタ４０４はその外側部分にねじ山４２２を含む。
【０１２６】
図３Ａに説明される実施形態に類似するいくつかの実施形態（図示せず）によると、いくつかの実施形態による第２の特長は、上記に設計されたようなパーツが、最小の漏れおよび直径のごくわずかな変化が実現されたときだけにモニタを作動させることを検出するために使用され得る。
（ルアーコネクタ‐第２の態様） 
【０１２７】
いくつかの実施形態によると、本態様は、少なくとも１つであるが、好ましくは２つの主要な特長を含む。おもに、一方では新規格ＩＳＯ／ＣＤ  ８０３６９−２に準拠しているが、取付部品結合時に、内部を呼気標本が流れる導管の直径の変化および不連続が最小値に削減され、これが最小の長さ削減されることを決定する、機械的な設計。この設計は、さらに、オスコネクタとメスコネクタの双方が弱く結合されるときにも最小限の漏れを決定づける。第２に、設計は、いつ立ち上がり時間に対する最小の影響だけではなく最小の漏れも達成されたのかを決定するための簡略な手段を提供し、そのときにだけ自動検出システムがモニタサンプリング機能を活性化する。
【０１２８】
また、この設計は、まだ言及されていない追加の優位点、つまり、新規格を忠実に守ることによって引き起こされる追加の問題を解決できる設計の恩恵も受ける。言及されるように、新規格はオス部分とメス部分との間の結合のためのより大きな寸法で作られるコネクタを規定する。したがって、患者インタフェース、消費材、および緩んだパーツに接合されるコネクタだけではなく、（カプノグラフ等の）装置上の対応物もが変化することが要求される。市場等ですでに現場にあり、既存のルアーコネクタを用いて設計された関連装置は、装置内部の空間要件だけではなく、装置パネルでのレイアウトおよび空間の割当てを事前に定義している。新しいコネクタは、半径と深さともにより多くの空間を規定する。
設計時、装置はこれらの新しい寸法を考慮に入れていなかったので、既存の装置が新しいルアーコネクタに対処するために大きい変更を要することが考えられる。
【０１２９】
したがって、本態様を用いると、本発明のいくつかの実施例によって、今日まで通常１つのコネクタのその組合せコネクタ（図４、ルアーオスコネクタ４０２の外側部分のねじ山４２０および一次ルアーメスコネクタ４０４の外側部分のねじ山４２２を参照）に対するねじり能力を提供するために通常使用されていたルアーコネクタの外部は取り除かれており、このねじり能力および構造は中心軸（以下本明細書の図５を参照）に移されている。
【０１３０】
本態様を用いる第１の特長は、長い焦点距離の結像系の機械的な寸法が長い光路を決定する光学系に匹敵する手段を使用することによって達成される。かかるシステムでは、光路は、全体系の長さを削減するためにそれら自体の上で折り畳まれる、または鏡によって
向け直されるかのどちらかである。同様に、この折り畳む主構は、オスルアーロックおよびメスルアーロックと使用される。上述されるように、カプノグラフを備える最適設計の場合、６％の先細円錐取付部品は、好ましくは、呼気標本を送るために使用される内部導管の内部オリフィスを円錐が交差する点に到達するように長さを増加されるだろう。これが当てはまる場合、オスルアーおよびメスルアーの結合時、理論的には、オスコネクタからメスコネクタに移動するときに直径にはごくわずかな変化しかなく、したがって採取された呼気立ち上がり時間に対してもごくわずかな影響を生じさせるだろう。
【０１３１】
かかる設計は、たとえそれがその極端に長いコネクタで受け入れ可能であったとしても、テーパーコネクタの端部での最終（外部）直径が、（文字「ｄ」で定められる）オス側で４．５８ｍｍの直径に、および（文字「Ｄ」で定められる）（表１を参照）メス側で４．８７ｍｍに明確に制限される新規格の定義によって受け入れられない。これを克服するために、「ｄ」および「Ｄ」の上記値に準拠しつつも、メス部の中にオス伸長部を反転させて、メス部がオス伸長部の中に戻ることによってオスコネクタの長さが伸びるように、先細円錐上で折り畳むことが可能である。この反転は、オス伸長部の（外部）直径が、規格に定められる公称直径である直径「ｄ」に達するときになされる。このオス（中空）伸長は、６％先細円錐形の中空円錐では続かないが、一定の内径を有し、組合せコネクタに設置される類似ねじ山構造に一致する適切なねじ山構造を含む。
【０１３２】
同等に、その最深点でおもにメスの形をしている組合せコネクタで、先細円錐は、組合せコネクタ（図５を参照）に設置される類似したねじ山構造に一致する適切なねじ山構造を含む一定の直径の伸長部の中に反転して戻る。
【０１３３】
簡単にするために、オスルアーおよびメスルアーの元の部分が一次オス部および一次メス部と呼ばれ、一方反転した部分が二次オスねじ山部および二次メスねじ山部と呼ばれる。
【０１３４】
したがって、２つのコネクタは、より小さい直径のねじ山をもった二次部を使用して２つの対向する６％先細円錐を結合するために、ともにしっかりとねじで留められる。
【０１３５】
このようにして、２つのコネクタは依然としてうまく結合し、寸法「ｄ」および「Ｄ」を保持しているが、よりコンパクトになり、「ｄ」および「Ｄ」よりもはるかに少ない小さい直径（ｄ１）で終了し、したがってガスが一方から他方に流れるときに、直径の小さな変化が生じ、その結果として立ち上がり時間に対する影響を削減する。このようにして、新規格によって要求されるように、より大きなサイズのオスルアーをより小さいサイズのメスルアーの中に不用意に挿入することが防止される。さらに、コネクタ全体の寸法は、より大きいテーパールアーを使用したにも関わらず、全体的なサイズが外部ねじ山部を取り除くことによって削減され、結果として既存の設計装置パネルとの１対１の取り付けを可能にするほど十分に削減される。
【０１３６】
第２の態様によるルアーコネクタの例は、本発明の実施形態によるルアーコネクタの断面を示す図５に示される。ルアーコネクタ５００は、一次ルアーオスコネクタ５０２および一次ルアーメスコネクタ５０４を含む。一次ルアーオスコネクタ５０２は、ねじ山５３０を有し、一次ルアーオスコネクタ５０２の上部末端部分５０８から後方に一次ルアーオスコネクタ５０２の中にその近端部分に向かって伸長する二次メス部５０６を形成するメス部分を含む。一次ルアーオスコネクタ５０２は、その長さに沿って一次ルアーオスコネクタ５０２の近端部から二次メス部５０６まで（および二次メス部５０６と流体流路接続して）伸長する（集中型の）第１の内側流体流路５１０を含む。第１の内部流路５１０はｄ１の直径を有する。二次メス部５０６は、（それが第１の内部流路５１０に接続する）その近端部５１１でｄ１の直径を有し、一次ルアーオスコネクタ５０２の上部末端部分５
０８でｄ２の内径を有し、したがってｄ１はｄ２よりも小さい。
【０１３７】
同等に、組合せコネクタでは、その最深点５１２でおもにメスの形をしている一次ルアーメスコネクタ５０４、つまり先細円錐５１４は、ねじ山５４０を有し、一次ルアーメスコネクタ５０４の空隙空間の中に戻る二次オス部５１６の中に反転して戻る。二次オス部５１６に沿って伸長する第２の内側流体流路５１８は、ｄ１の直径を有する。二次メス部５０６のねじ山５３０および二次オス部５１６のねじ山５４０は、結合するように構成される。本明細書に上述されるように、本発明の実施形態によるルアーコネクタは、通常のルアーまたはスリップルアーから成る場合があり、つまりそれぞれ外部ねじ山があるか、外部ねじ山がないかのどちらかである。しかしながら、ルアーコネクタ５００等のルアーコネクタを用いると、外部ねじ山の必要性はなく、これは優位点となることがある。
【０１３８】
一次ルアーメスコネクタ（テーパー６％）５０４の開端での直径は「Ｄ」として定められている。
【０１３９】
一次ルアーオスコネクタ（テーパー６％）５０２の先端での直径は「ｄ」として定められる。
【０１４０】
このようにして、２つのコネクタ（一次ルアーオスコネクタ５０２および一次ルアーメスコネクタ５０４）は依然としてうまく結合し、規格によって要求される寸法「ｄ」および「Ｄ」を保持しているが、よりコンパクトになり、「ｄ」および「Ｄ」よりもはるかに少ない小さい直径（ｄ１）で終了し、したがってガスが一方から他方に流れるときに、直径の小さな変化が生じ、その結果として立ち上がり時間に対する影響を削減する。このようにして、新規格によって要求されるように、より大きなサイズのオスルアーをより小さいサイズのメスルアーの中に不用意に挿入することが防止される。 
【０１４１】
簡単にするために、オスルアーおよびメスルアーの元の部分が一次オス部および一次メス部と呼ばれ、一方反転した部分が二次オス部および二次メス部と呼ばれることに留意されたい。
【０１４２】
いくつかの実施形態による第２の特長は、上記に設計されたようなパーツが、最小の漏れおよび直径のごくわずかな変化が実現されたときだけにモニタを作動させることを検出するために使用される。このために、たとえば、回路を閉じてそのインダクタンスもしくはキャパシタンス、またはその部分の抵抗等を変更することによって電気回路に対する変更を検出することに基づいた方法等のいくつかの方法を使用できる。代わりに、光学変化または磁気変化を検出することに基づいた方法も適用できる。たとえば、モニタ側で一次メスルアーロックが使用される場合、（２つの）電極ストリップ（たとえば、５２４および５２８）が、組合せ一次ルアーオスコネクタ５０２が正しく設置されるときに、それが電極ストリップ５２４および５２８のこの点に達するはずである点まで一次メス開口部（図示せず）または二次オス部分５１６のどちらかの内側を覆うことがある。組合せ一次ルアーオスコネクタ５０２では、その端部で、または二次メス部５０６の端部で内部に、導電性リング５２６が設置される。いくつかの実施形態によると、導電性リング５２６は、二次メス部５０６の内周に配置される。コネクタが正しく十分に定位置にあるとき、導電性リング５２６は電極ストリップ５２４および５２８で終わる回路を閉じる。電極ストリップ５２４および５２８は、その２つの間にコンダクタンスがあるのか、それともないのかを検出できる回路に同様に接続され、検出時、サンプリングを提供するために使用されるポンプを結果的に作動させる信号が生成される。
【０１４３】
いくつかの実施形態によると、用語、正しく設置されるは、立ち上がり時間の大きな劣化または減速がなく、採取されたガスのごくわずかな漏れが起こることがある結合部を定
義する。
【０１４４】
インダクタンスもしくはキャパシタンスも使用することができる、または２つの誘電性または導電性の材料および表面が、一方が他方に関連して配置されるときに回路の電子特性を変更することがあるなんらかの他の方法、２つの材料面の重複がコネクタの正しい結合から生じる、またはコネクタ間の距離が、２つのコネクタ間の結合のレベルに比例する電気特性を変更する。これらの変更は、モニタによって検出され、正しい結合が達成されるときだけにモニタサンプリングシステムを作動させることができる。
【０１４５】
さらなる実施形態では、導電性リングは抵抗で変わることがあり、測定時に、所与のタイプもしくはクラスのモニタ、または関連するコネクタで終了するタイプおよびクラスの患者インタフェース用の指標として使用できる。
（ルアーコネクタ‐第３の態様）
【０１４６】
いくつかの実施形態によると、本態様は、好ましくは２つの主要な特長であるが、少なくとも１つの主要な特長を含む。おもに、一方では新規格ＩＳＯ／ＣＤ  ８０３６９-１
．２に準拠しているが、取付部品結合時に、内部を呼気標本が流れる導管の直径の変化および急増が最小値に削減され、これが最小の長さ削減されることを決定づける機械的な設計。この設計は、さらに、オスコネクタとメスコネクタの双方が弱く結合されるときにも最小限の漏れを決定づける。第２に、設計は、いつ立ち上がり時間に対する最小の影響だけではなく最小の漏れも達成されたのかを検出するための簡略な手段を提供し、そのときにだけ自動検出システムがモニタサンプリング機能を活性化する。
【０１４７】
いくつかの実施形態によると、第１の特長は、長い焦点距離の結像系の機械的な寸法が長い光路を決定する光学系に匹敵する手段を使用することによって達成される。かかるシステムでは、光路は、全体系の長さを削減するためにそれら自体の上で折り畳まれる、または鏡によって向け直されるかのどちらかである。同様に、この折り畳む主構は、オスルアーロックおよびメスルアーロックと使用される。上述されるように、カプノグラフを備える最適設計の場合、６％の先細円錐取付部品は、好ましくは、呼気標本を送るために使用される内部導管の内部オリフィスを円錐が交差する点に到達するように長さを増加されるだろう。これが当てはまる場合、オスルアーおよびメスルアーの結合時、理論的には、オスコネクタからメスコネクタに移動するときに直径にはごくわずかな変化しかなく、したがって採取された呼気立ち上がり時間に対してもごくわずかな影響を生じさせるだろう。
【０１４８】
かかる設計は、たとえそれがその極端に長いコネクタで受け入れ可能であったとしても、テーパーコネクタの端部での最終（外部）直径が、（文字「ｄ」で定められる）オス側で４．５８ｍｍの直径に、および（文字「Ｄ」で定められる）（表１を参照）メス側で４．８７ｍｍに明確に制限される新規格の定義によって受け入れられない。これを克服するために、「ｄ」および「Ｄ」の上記値に準拠しつつも、メス部の中にオス伸長部を反転させて、メス部がオス伸長部の中に戻ることによってオスコネクタの長さが伸びるように、先細円錐上で折り畳むことが可能である。この反転は、オス伸長部の直径が、規格に定められる公称直径である直径「ｄ」に達するときになされる。このメス型伸長部は、一次オス部の端部に対してその深さが制限される円錐形または直線形のどちらかである場合がある。それは、メス当接部（たとえば、以下本明細書図６を参照）で内部で終了する。
【０１４９】
他方、その最深点でおもにメスの形をしている組合せコネクタ上で、かつその中心軸に沿って、別個のばね式管状インサートがメス部の空隙空間の中に反転して戻る（たとえば、以下本明細書図６を参照）。ばね式管状部は、直径およびその対向するコネクタのメス伸長部に適合する形状を有する。２つのコネクタの結合時、ばね式管の伸長部は結合プロ
セスの初期段階で対向するコネクタの当接部に当接するように設計されており、２つのコネクタをともにさらに押すまたはねじると、ばねに対する力が生じ、ばね式管状伸長部を後方に押し通し、同時にメス当接部に当接される管を保持する。
【０１５０】
簡単にするために、オスルアーおよびメスルアーの元の部分が一次オス部および一次メス部と呼ばれ、一方反転した部分は、ばね式管状部および二次メス部と呼ばれる。
【０１５１】
このようにして、２つのコネクタはうまく結合し、寸法「ｄ」および「Ｄ」を保持しているが、よりコンパクトになり、「ｄ」および「Ｄ」よりもはるかに少ないごくわずかな直径で終了し、したがってガスが一方から他方に流れるときに、直径の、たとえあったとしても小さな変化が生じ、その結果として立ち上がり時間に対する影響を削減する。このようにして、新規格によって要求されるように、より大きなサイズのオスルアーをより小さいサイズのメスルアーの中に不用意に挿入することが防止される。
【０１５２】
いくつかの実施形態によると、ばね式部は、管状または円錐に形作ることができる。さらに、いくつかの実施形態によると、当接領域は、よりよい適合のために丸みが付けられてよい。いくつかの実施形態によると、突出するばね式チュービングの深さは、結合時の考えられる最終位置に対処するために、６％先細円錐ルアーの公差を考慮に入れなければならない。
【０１５３】
第３の態様によるルアーコネクタの例は、本発明の実施形態によるルアーコネクタの断面を示す図６に示される。ルアーコネクタ６００は、一次ルアーオスコネクタ６０２および一次ルアーメスコネクタ６０４を含む。一次ルアーオスコネクタ６０２は、一次ルアーオスコネクタ６０２の上部末端部分６０８から後方に一次ルアーオスコネクタ６０２の中にその近端部分に向かって伸長する二次メス部６０６を形成するメス部を含む。一次ルアーオスコネクタ６０２は、その長さに沿って一次ルアーオスコネクタ６０２の近端部から二次メス部６０６まで（および二次メス部６０６と流体流路接続して）伸長する（集中型の）第１の内側流体流路６１０を含む。第１の内側流路６１０はｄ１の直径を有する。二次メス部６０６は、（それが第１の内側流路６１０に接続する）その近端部６１１でｄ１の直径を有し、一次ルアーオスコネクタ６０２の上部末端部分６０８でｄ３の内径を有し、したがってｄ１はｄ３よりも小さい。
【０１５４】
同等に、組合せコネクタで、その最深点６１２でおもにメスの形をしている一次ルアーメスコネクタ６０４、つまり先細円錐６１４は、ｄ３の直径を有する開口部６１３を有する。開口部６１３を通って、および一次ルアーメスコネクタ６０４の中心軸に沿って、別個のばね式管状インサート６５０が、一次ルアーメスコネクタ６０４の先細円錐６１４の空隙空間の中に反転して戻る。ばね式管状（部）インサート６５０は、直径および一次ルアーオスコネクタ６０２の二次メス部６０６に適合する形状を有する。ばね式インサートは、図示されるように（ばね式管状インサート６５０）管状であってよいが、他の形状または形式を有してもよいことに留意されたい。たとえば、ばね式インサートは、円錐または部分的に円錐となり、適合する円錐または部分的に円錐の二次メス部と接続するために構成する。２つのコネクタ（一次ルアーオスコネクタ６０２および一次ルアーメスコネクタ６０４）の結合時、ばね式管状インサート６５０は、その上部末端部が、結合プロセスの早期段階で対向するコネクタ（一次ルアーオスコネクタ６０２）の二次メス部６０６の中に挿入され、２つのコネクタをともにさらに押すまたはねじると、ばね６７０にかかる力が生じ、ばね式管状インサート６５０を後方に押しやるように設計される。と同時に、メス当接部６６０に当接されるばね式管状インサート６５０を保持するが。ばね式管状インサート６５０の内径は、一次ルアーオスコネクタ６０２の第１の内側流路６１０の直径と同じｄ１であり、したがってばね式管状インサート６５０が一次ルアーオスコネクタ６０２の当接部６６０に当接するように設計されるとき、ｄ１の直径を有する連続内部流路
が形成される。
【０１５５】
いくつかの実施形態によると、ばね式管状インサートは円錐形で、結合時に円錐二次メス部に適合するように構成されてもよいことに留意されたい。
【０１５６】
一次ルアーメスコネクタ（テーパー６％）６０４の開端での直径は「Ｄ」として定められている。
【０１５７】
一次ルアーオスコネクタ（テーパー６％）６０２の先端での直径は「ｄ」として定められる。
【０１５８】
このようにして、２つのコネクタ（一次ルアーオスコネクタ６０２および一次ルアーメスコネクタ６０４）は依然としてうまく結合し、規格によって要求される寸法「ｄ」および「Ｄ」を保持しているが、よりコンパクトになり、「ｄ」および「Ｄ」よりもはるかに少ない小さい直径（ｄ１）で終了し、したがってガスが一方から他方に流れるときに、直径の小さな変化が生じ、その結果として立ち上がり時間に対する影響を削減する。このようにして、新規格によって要求されるように、より大きなサイズのオスルアーをより小さいサイズのメスルアーの中に不用意に挿入することが防止される。
【０１５９】
いくつかの実施形態による第２の特長は、上記に設計されたようなパーツが、最小の漏れおよび直径のごくわずかな変化が実現されたときだけにモニタを作動させることを検出するために使用される。このために、たとえば、回路を閉じてそのインダクタンスもしくはキャパシタンス、またはその部分の抵抗等を変更することによって電気回路に対する変更を検出することに基づいた方法等のいくつかの方法を使用できる。代わりに、光学変化または磁気変化を検出することに基づいた方法も適用できる。たとえば、モニタ側で一次メスルアーロックが使用される場合、（２つの）電極ストリップ（たとえば、６２４および６２８）が、組合せ一次ルアーオスコネクタ６０２が正しく設置されるときに、それが電極ストリップ６２４および６２８のこの点に達するはずである点まで一次メス開口部（図示せず）またはばね式管状インサート６５０の先端のどちらかの内側を覆うことがある。組合せ一次ルアーオスコネクタ６０２では、その端部で、または二次メス部６０６の端部で内部に、導電性リング６２６が（当接部６６０に）設置される。コネクタが正しく十分に定位置にあるとき、導電性リング６２６は電極ストリップ６２４および３２８で終わる回路を閉じる。電極ストリップ３２４および３２８は、その２つの間にコンダクタンスがあるのか、それともないのかを検出できる回路に同様に接続され、検出時、サンプリングを提供するために使用されるポンプを結果的に作動させる信号が生成される。
【０１６０】
いくつかの実施形態によると、用語、正しく設置されるは、立ち上がり時間の大きな劣化または減速がなく、採取されたガスのごくわずかな漏れが起こることがある結合部を定義する。
【０１６１】
いくつかの実施形態によると、電極６８０は、移動するばね式管状インサート６５０の両側で使用されてよい。電極６８０は、任意の組合せコネクタが進入する前に接続され、正しい結合部が接続されるときに発生するように、ばね式パーツが内側に押し込まれるときに回路を開くために分離されるように構成される。
【０１６２】
インダクタンスもしくはキャパシタンスも使用することができる、または２つの誘電性または導電性の材料および表面が、一方が他方に関連して配置されるときに回路の電子特性を変更することがあるなんらかの他の方法、２つの材料面の重複が、コネクタを正しく結合することから生じる、またはコネクタ間の距離が、２つのコネクタ間の結合のレベルに比例する電気特性を変更する。これらの変更は、モニタによって検出され、正しい結合
が達成されるときだけにモニタサンプリングシステムを作動させることができる。
【０１６３】
さらなる実施形態では、導電性リングは抵抗で変わることがあり、測定時に、所与のタイプもしくはクラスのモニタ、または関連するコネクタで終了するタイプおよびクラスの患者インタフェース用の指標として使用できる。
（ルアーコネクタ‐第４の態様）
【０１６４】
いくつかの実施形態によると、本態様は、好ましくは３つであるが、少なくとも１つの主要な特長を含む。おもに、一方では新規格ＩＳＯ／ＣＤ  ８０３６９−２に準拠しているが、取付部品結合時に、内部を呼気標本が流れる導管の直径の変化および不連続が最小値に削減され、これが最小の長さ削減されることを決定する、機械的な設計。この設計は、さらに、オスコネクタとメスコネクタの双方が弱く結合されるときにも最小限の漏れを決定する。第２に、設計は、いつ立ち上がり時間に対する最小の影響だけではなく最小の漏れも達成されたのかを検出するための簡略な手段を提供し、そのときにだけ自動検出システムがモニタサンプリング機能を活性化する。第３に、設計は、液体を吸収し、本来上述されたコネクタのようなルアーコネクタを使用することによって、液体が、たとえばカプノグラフ等の敏感なモニタに到達するのを妨げるように設計された適切なフィルタリングシステムの結合を可能にする。したがって、設計は、たとえば、安全性を脅かすことなくフィルタを維持しながらも患者のカニューレを交換することによって採取用配管を変調することを可能にする。これは、適切なフィルタが患者カニューレ上の適切なコネクタおよびモニタ上の適切なコネクタに接続されているときにだけ、自動検出システムがモニタサンプリング機能を活性化するためである。
【０１６５】
本発明のいくつかの実施形態によると、本発明の第４の態様による調節採取用配管の例が、図７に示されている。 
【０１６６】
本発明のいくつかの実施形態によると、開示されているのは、フィルタハウジングを内包する試料採取管を含む採取用配管であり、フィルタハウジングは、モニタの一次ルアーメスコネクタに接続するように適応された一次ルアーオスコネクタを含む。
【０１６７】
本発明のいくつかの実施形態によると、開示されているのは、患者試料採取管８１０の一次ルアーオスコネクタ７０２と、たとえばカプノグラフ等のモニタの一部である一次ルアーメスコネクタ７０４との間を接続する、フィルタハウジング１０００を含む調節採取用配管である。本発明のいくつかの実施形態によると、接続は、連続ルアーコネクタを使用することによって行われる。
【０１６８】
フィルタハウジング１０００は、その一端（たとえば、患者側）に一次ルアーメスコネクタ１００４およびその他端（たとえば、モニタ側）に一次ルアーオスコネクタ１００２、液体を吸収するように適応されたフィルタ１１００、ならびに導電性ストリップ１４００および１５００等の少なくとも１つの導電性ストリップを含む。
【０１６９】
いくつかの実施形態によると、フィルタ１１００は、中空繊維フィルタ等の液体を吸収するように適応された任意のフィルタである場合があるが、これに限定されない。
【０１７０】
いくつかの実施形態によると、フィルタハウジング１０００は、呼気がフィルタ１０００を迂回するのを妨げるように適応された遮断剤１２００をさらに含む。代わりに、フィルタ１０００は、呼気がフィルタを迂回するのを妨げるためにフィルタハウジング１０００に成形できる。
【０１７１】
いくつかの実施形態によると、一次ルアーオスコネクタ１００２は、一次ルアーオスコ
ネクタ１００２の上部末端部分１００８から後方に一次ルアーオスコネクタ１００２の中にその近端部分に向かって伸長する二次メス部１００６を形成するメス部を含む。一次ルアーオスコネクタ１００２は、その長さに沿って、一次ルアーオスコネクタ１００２の近端部から、本来上述されたように二次メス部１００６まで（および二次メス部１００６と流体流路接続して）伸長する（集中型の）第１の内側流体流路１０１０を含む。
【０１７２】
いくつかの実施形態によると、一次ルアーオスコネクタ７０２は、一次ルアーオスコネクタ７０２の上部末端部分７０８から後方に一次ルアーオスコネクタ７０２の中にその近端部分に向かって伸長する二次メス部７０６を形成するメス部を含む。一次ルアーオスコネクタ７０２は、その長さに沿って、一次ルアーオスコネクタ７０２の近端部から、本来上述されたように二次メス部７０６まで（および二次メス部７０６と流体流路接続して）伸長する（集中型の）第１の内側流体流路７１０を含む。
【０１７３】
その最深点１０１２でおもにメスの形をしている一次ルアーメスコネクタ１００４は、二次オス部１０１６の中に反転して戻り、一次ルアーメスコネクタ１００４の空隙空間の中に戻り、二次オス部１０１６は、本来上述されたように、その長さに沿って伸長する第２の内側流体流路１０１８を含む。
【０１７４】
その最深点７１２でおもにメスの形をしている一次ルアーメスコネクタ７０４は、二次オス部７１６の中に反転して戻り、本来上述されたように、一次ルアーメスコネクタ７０４の空隙空間の中に戻る。
【０１７５】
いくつかの実施形態によると、一次ルアーメスコネクタ１００４は、本来上述されたように、患者試料採取管８１０の一次ルアーオスコネクタ７０２に接続されるように適応される。いくつかの実施形態によると、一次ルアーオスコネクタ１００２は、本来上述されたように、たとえばカプノグラフ等のモニタの一次ルアーメスコネクタ７０４に接続されるように適応される。
【０１７６】
いくつかの実施形態によると、採取用配管８００は、その構成要素が正しく組み立てられ、電気回路が閉じられているときだけ監視装置の活性化を可能にするように構成される。いくつかの実施形態によると、カプノグラフ等のモニタは、採取用配管８００全体が正しく組み立てられているときだけ作動する。つまり、モニタは、一次ルアーメスコネクタ１００４が一次ルアーオスコネクタ７０２に正しくおよび／または十分に接続されているとき、および一次ルアーオスコネクタ１００２が一次ルアーメスコネクタ７０４に正しくおよび／十分に接続されているときだけに作動する。いくつかの実施形態によると、一次オスルアーコネクタ１００２を一次ルアーメスコネクタ７０４に接続しても、モニタは作動しない。これは、モニタが患者に接続されずに作動し、それによってモニタの寿命の削減を生じさせることを回避するためである。
【０１７７】
いくつかの実施形態によると、一次ルアーオスコネクタ１００２の二次メス部１００６は、たとえば図８ａに概略で示される導電性素子１０２６等の第１の導電性素子を含み、一次ルアーメスコネクタ１００４の二次オス部１０１６は、たとえば、図８ａに概略で示される導電性素子１０２６等の第２の導電性素子を含む。いくつかの実施形態によると、第１のおよび第２の導電性素子は、導電性パッド１０２５、１０２７、１０２９等の少なくとも３つの受取導体パッドを含み、各受取導体パッドは、ギャップ１０３０等の非導電ギャップによってその近傍の導電性パッドから分離される。いくつかの実施形態によると、第１の導電性素子および第２の導電性素子は同一であってよい。いくつかの実施形態によると、第１の導電性素子および第２の導電性素子は異なってよい。
【０１７８】
いくつかの実施形態によると、モニタの一次ルアーメスコネクタ７０４の二次オス部７
１６は、図８ｂに概略で示される導電性ストリップ７２４および７２８等の第３の導電性素子を含む。いくつかの実施形態によると、導電性ストリップ７２４および７２８は、非導電性ギャップ７３０によって分離される。
【０１７９】
いくつかの実施形態によると、ギャップ１０３０（図８ａ）等のギャップの幅Ｌ１は、導電性ストリップ７２４および７２８（図８ｂ）のそれぞれの幅Ｌ２に満たない。
【０１８０】
いくつかの実施形態によると、一次ルアーオスコネクタ７０２の二次メス部７０６は、図８ｃに概略で示される導電性リング７２６等の第４の導電性素子を含む。
【０１８１】
いくつかの実施形態によると、一次ルアーオスコネクタ１００２だけがモニタの一次ルアーメスコネクタ７０４に正しく接続されているとき、電気回路は閉じられず、モニタは作動しない。
【０１８２】
いくつかの実施形態によると、一次ルアーオスコネクタ１００２がモニタの一次ルアーメスコネクタ７０４に正しく接続されるとき、および一次ルアーメスコネクタ１００４が試料採取管８１０の一次ルアーオスコネクタ７０２に正しく接続されるときだけに、電気回路は閉じられ、モニタは作動する。
【０１８３】
いくつかの実施形態によると、本明細書で参照される用語、正しく設置されるは、立ち上がり時間の大きな劣化または減速がなく、採取されたガスのごくわずかな漏れが起こることがある、一次ルアーメスコネクタと一次ルアーオスコネクタとの間の結合部を定義する。
【０１８４】
（採取用配管８００等の）採取用配管全体の適切な組立て時だけにモニタを活性化するためにいくつかの方法が使用できることが理解されるべきである。たとえば、回路を閉じてそのインダクタンスもしくはキャパシタンス、またはその部分の抵抗等を変更することによって電気回路に対する変更を検出することに基づいた方法。いくつかの実施形態によると、導電性ストリップ１４００および１５００は、一次メスルアーコネクタ１００４と一次オスコネクタ１００２との間を電気的に接続するように適応される。
【０１８５】
いくつかの実施形態によると、導電性ストリップ１４００および１５００は、一次メスルアーコネクタ１００４と一次オスコネクタ１００２との間で伝導するように適応される。
【０１８６】
したがって、いくつかの実施形態によると、いったん採取用配管８００が正しく組み立てられると、電気回路は、モニタの一次ルアーメスコネクタ７０４上の電極ストリップ７２４および７２８、一次オスコネクタ１００２上の導電性素子１０２６等の第１の導電性素子、導電性ストリップ１４００および１５００、一次メスルアーコネクタ１００４上の導電性素子１０２６等の第２の導電性素子、および患者採取用配管８１０の一次オスコネクタ７０２上の導電性リング７２６の間で閉じられる。
【０１８７】
インダクタンスもしくはキャパシタンスも使用することができる、または２つの誘電性または導電性の材料および表面が、一方が他方に関連して配置されるときに回路の電子特性を変更することがあるなんらかの他の方法が当業者によって理解されるべきである。いくつかの実施形態によると、２つの材料面の重複は、コネクタが正しく結合されることから、または２つのコネクタ間の結合のレベルに比例して電気特性を変更するコネクタ間の距離に到達することから生じることがある。これらの変更は、モニタによって検出され、正しい結合が達成されるときだけにモニタサンプリングシステムを作動させることができる。
【０１８８】
さらなる実施形態では、導電性リングは、測定時に、所与のタイプもしくはクラスのモニタ、または関連するコネクタで終了するタイプおよびクラスの患者インタフェース用の指標として使用できる抵抗で変わることがあるだろう。
【０１８９】
調節試料採取管８００が、たとえばフィルタハウジング１０００等の調節試料採取管８００の他の部分の再利用を促進しながら、たとえば患者試料採取管８１０等の調節試料採取管８００のいくつかの部分を交換することを促進することが当業者によって理解されるべきである。
【０１９０】
簡単にするために、オスルアーおよびメスルアーの元の部分が一次オス部および一次メス部と呼ばれ、一方反転した部分が二次オス部および二次メス部と呼ばれることに留意されたい。
【０１９１】
同様に、一次ルアーオスコネクタおよび一次ルアーメスコネクタは、交互に用いられてよく、たとえば、一次ルアーオスコネクタはモニタ側で使用されてよく、一次ルアーメスコネクタはフィルタ側で使用されてよく、また逆の場合には、一次ルアーメスコネクタが、モニタ側で使用されてよく、一次ルアーオスコネクタがフィルタ側で使用されてよいことが理解されるべきである。同様に、一次ルアーオスコネクタは患者試料採取管側で使用されてよく、一次ルアーメスコネクタはフィルタ側で使用されてよく、また逆の場合には、一次ルアーメスコネクタは患者試料採取管側で使用されてよく、一次ルアーオスコネクタはフィルタ側で使用されてよい。
【０１９２】
いくつかの実施形態によると、同じ一次ルアーコネクタが、モニタ側およびサンプル管側で使用されてよい。たとえば、一次ルアーメスコネクタはモニタ側とサンプル管側の両方で使用されてよいのに対して、一次ルアーオスコネクタはフィルタの両側で使用されてよい。たとえば、一次ルアーオスコネクタはモニタ側とサンプル管側の両方で使用されてよいのに対して、一次ルアーメスコネクタはフィルタの両側で使用されてよい。本実施形態は、（フィルタを有していない）試料採取管を、フィルタを包含していないモニタに直接的に接続し、それによって潜在的にモニタに害を及ぼすことを回避する。
【０１９３】
本発明の実施形態によるルアーコネクタは、通常のルアーまたはスリップルアーから成る場合があり、つまりそれぞれ外部ねじ山があるか、外部ねじ山がないかのどちらかであることに留意されたい。
【０１９４】
さらに、当業者は、本発明の本態様で使用される全てのルアーコネクタが、本明細書に開示され、図３〜図６で説明されるルアーコネクタのどれかである場合があることを容易に理解するであろう。
【０１９５】
上述された例示的な態様および実施形態に加えて、追加の態様および実施形態は、図を参照することによって、および続く詳細な説明を検討することによって明らかになるだろう。
【図１Ａ】
0005971774.tif 000005
【図１Ｂ】
0005971774.tif 000006
【図１Ｃ】
0005971774.tif 000007
【図１Ｄ】
0005971774.tif 000008
【図１Ｅ】
0005971774.tif 000009
【図２】
0005971774.tif 000010
【図３Ａ】
0005971774.tif 000011
【図３Ｂ】
0005971774.tif 000012
【図３Ｃ】
0005971774.tif 000013
【図４】
0005971774.tif 000014
【図５】
0005971774.tif 000015
【図６】
0005971774.tif 000016
【図７】
0005971774.tif 000017
【図８Ａ】
0005971774.tif 000018
【図８Ｂ】
0005971774.tif 000019
【図８Ｃ】
0005971774.tif 000020